(57)【特許請求の範囲】
【請求項１】
リソース割付け方法であって、
サウンディング参照信号（ＳＲＳ）が伝送されることが可能な一組のＳＲＳサブフレームを信号伝達することであって、非周期的ＳＲＳ伝送が可能ではないユーザ機器（ＵＥ）は、前記ＳＲＳサブフレームのうちのいずれかにおいて周期的ＳＲＳを伝送することを指示されることが可能である、ことと、
前記ＳＲＳサブフレームのうちのどれが周期的ＳＲＳ伝送に使用されるべきか、および前記ＳＲＳサブフレームのうちのどれが非周期的ＳＲＳ伝送に使用されるべきかを信号伝達することと
を含み、
周期的ＳＲＳ伝送は、第１のサブフレームにおいてＵＥによって伝送されるＳＲＳ伝送であり、前記第１のサブフレームは、少なくとも前記ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、前記第２のサブフレームは、少なくとも前記ＵＥへの物理制御チャネル上の伝送によって決定される、方法。
【請求項２】
前記ＳＲＳが伝送されることが可能な一組のＳＲＳサブフレームは、表における第１の入力によって特定され、前記表における各入力は、割り付けられるサブフレームの周期性と割付け周期が始まる前記第１のサブフレームからのオフセットとを含み、周期的ＳＲＳ伝送に使用されるべきサブフレームおよび非周期的ＳＲＳ伝送に使用されるべきサブフレームは、前記表における第２の入力によって特定され、前記第２の入力の周期性部分は、前記割り付けられるサブフレームの間での周期的および非周期的サブフレームのパターンを特定し、前記第２の入力のオフセット部分は、前記パターンが始まる前記第１のサブフレームからのオフセットを特定する、請求項１に記載の方法。
【請求項３】
前記ＳＲＳサブフレームのうちのどれが周期的ＳＲＳ伝送に使用されるべきか、および前記ＳＲＳサブフレームのうちのどれが非周期的ＳＲＳ伝送に使用されるべきかを信号伝達するステップは、
第１のメッセージを第１のＵＥに伝送することであって、前記第１のメッセージは、前記第１のＵＥが非周期的ＳＲＳを伝送し得る第１の組のサブフレームを示す、ことと、
第２のメッセージを第２のＵＥに伝送することであって、前記第２のメッセージは、前記第２のＵＥが周期的ＳＲＳを伝送し得る第２の組のサブフレームを示す、ことと
をさらに含み、
サブフレームにおいて、前記第１のＵＥは、第１のＳＲＳリソース上で非周期的ＳＲＳを伝送し、前記第２のＵＥは、第２のＳＲＳリソース上で周期的ＳＲＳを伝送し、前記第１のＳＲＳリソースおよび前記第２のＳＲＳリソースは異なり、ＳＲＳリソースは、ＳＲＳ循環シフトまたはＳＲＳコームまたは一組のリソースブロックのうちの少なくとも１つを含む、請求項１に記載の方法。
【請求項４】
アクセスノードが、セル特定のメッセージを伝送し、前記セル特定のメッセージは、前記割り付けられるサブフレームのうちのどれが周期的ＳＲＳサブフレームおよび非周期的ＳＲＳサブフレームのうちの一方であるかを示し、前記割り付けられるサブフレームの残りは、前記周期的ＳＲＳサブフレームおよび非周期的ＳＲＳサブフレームのうちの他方であり、ＳＲＳが前記非周期的ＳＲＳサブフレームにおいて伝送される場合、非周期的ＳＲＳのみが前記非周期的ＳＲＳサブフレームにおいて伝送される、請求項１に記載の方法。
【請求項５】
前記アクセスノードは、ＵＥ特定の非周期的ＳＲＳ構成情報を含むＵＥ特定のメッセージをさらに伝送する、請求項４に記載の方法。
【請求項６】
前記セル特定のメッセージおよび前記ＵＥ特定のメッセージは、半静的上位層信号伝達である、請求項５に記載の方法。
【請求項７】
トリガが受信された後に伝送される非周期的ＳＲＳ伝送の数は、半静的構成および動的信号伝達のうちの１つによって特定される、請求項１に記載の方法。
【請求項８】
複数の非周期的ＳＲＳ信号が、周波数領域において多重化され、各ＳＲＳ信号の周波数場所は、異なるサブフレームにおいて変動する、請求項１に記載の方法。
【請求項９】
システムフレームｎｆのスロットｎｓにおける開始副搬送波の指数は、以下の方程式に従って計算され、
【数５１】
0005566537.tif 000066
である、請求項８に記載の方法。
【請求項１０】
ｎＳＲＳは、以下の方程式に従って計算され、
【数５２】
0005566537.tif 000067
ここで、ＮＡＳＲＳは、
【化３１】
0005566537.tif 000068
における入力の数、すなわち、各フレームにおける非周期的ＳＲＳサブフレームの数であり、
【数５３】
0005566537.tif 000069
であり、ここで、
【化３２】
0005566537.tif 000070
は、ｘ以下である最大の整数を示す、請求項９に記載の方法。
【請求項１１】
複数の非周期的ＳＲＳ信号が周波数領域において多重化され、各ＳＲＳ信号の周波数場所は、異なるサブフレームにおいて変動し、システムフレームｎｆのスロットｎｓにおける開始副搬送波の指数は、以下の方程式に従って計算され、
【数５４】
0005566537.tif 000071
に従って計算される、請求項３に記載の方法。
【請求項１２】
無線電気通信システムにおけるアクセスノードであって、
前記アクセスノードが、サウンディング参照信号（ＳＲＳ）が伝送されることが可能な一組のＳＲＳサブフレームを信号伝達するように構成されているプロセッサを備え、
非周期的ＳＲＳ伝送が可能ではないユーザ機器（ＵＥ）は、前記ＳＲＳサブフレームのうちのいずれかにおいて周期的ＳＲＳを伝送することを指示されることが可能であり、
前記プロセッサは、前記アクセスノードが、前記ＳＲＳサブフレームのうちのどれが周期的ＳＲＳ伝送に使用されるべきか、および、前記ＳＲＳサブフレームのうちのどれが非周期的ＳＲＳ伝送に使用されるべきかを信号伝達するようにさらに構成され、
周期的ＳＲＳ伝送は、第１のサブフレームにおいてＵＥによって伝送されるＳＲＳ伝送であり、前記第１のサブフレームは、少なくとも前記ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、前記第２のサブフレームは、少なくとも前記ＵＥへの物理制御チャネル上の伝送によって決定される、
アクセスノード。
【請求項１３】
前記ＳＲＳが伝送されることが可能な一組のＳＲＳサブフレームは、表における第１の入力によって特定され、前記表における各入力は、割り付けられるサブフレームの周期性と割付け周期が始まる前記第１のサブフレームからのオフセットとを含み、周期的ＳＲＳ伝送に使用されるべきサブフレームおよび非周期的ＳＲＳ伝送に使用されるべきサブフレームは、前記表における第２の入力によって特定され、前記第２の入力の周期性部分は、前記割り付けられるサブフレームの間での周期的および非周期的サブフレームのパターンを特定し、前記第２の入力のオフセット部分は、前記パターンが始まる前記第１のサブフレームからのオフセットを特定する、請求項１２に記載のアクセスノード。
【請求項１４】
前記ＳＲＳサブフレームのうちのどれが周期的ＳＲＳ伝送に使用されるべきか、および、前記ＳＲＳサブフレームのうちのどれが非周期的ＳＲＳ伝送に使用されるべきかを信号伝達するステップは、
第１のメッセージを第１のＵＥに伝送することであって、前記第１のメッセージは、前記第１のＵＥが非周期的ＳＲＳを伝送し得る第１の組のサブフレームを示す、ことと、
第２のメッセージを第２のＵＥに伝送することであって、前記第２のメッセージは、前記第２のＵＥが周期的ＳＲＳを伝送し得る第２の組のサブフレームを示す、ことと
をさらに含み、
サブフレームにおいて、前記第１のＵＥは、第１のＳＲＳリソース上で非周期的ＳＲＳを伝送し、前記第２のＵＥは、第２のＳＲＳリソース上で周期的ＳＲＳを伝送し、前記第１のＳＲＳリソースおよび前記第２のＳＲＳリソースは異なり、ＳＲＳリソースは、ＳＲＳ循環シフトまたはＳＲＳコームまたは一組のリソースブロックのうちの少なくとも１つを含む、請求項１２に記載のアクセスノード。
【請求項１５】
アクセスノードは、セル特定のメッセージを伝送し、前記セル特定のメッセージは、前記割り付けられるサブフレームのうちのどれが周期的ＳＲＳサブフレームおよび非周期的ＳＲＳサブフレームのうちの一方であるかを示し、前記割り付けられるサブフレームの残りは、前記周期的ＳＲＳサブフレームおよび非周期的ＳＲＳサブフレームのうちの他方であり、ＳＲＳが前記非周期的ＳＲＳサブフレームにおいて伝送される場合、非周期的ＳＲＳのみが前記非周期的ＳＲＳサブフレームにおいて伝送される、請求項１２に記載のアクセスノード。
【請求項１６】
前記アクセスノードは、ＵＥ特定の非周期的ＳＲＳ構成情報を含むＵＥ特定のメッセージをさらに伝送する、請求項１５に記載のアクセスノード。
【請求項１７】
前記セル特定のメッセージおよび前記ＵＥ特定のメッセージは、半静的上位層信号伝達である、請求項１６に記載のアクセスノード。
【請求項１８】
トリガが受信された後に伝送される非周期的ＳＲＳ伝送の数は、半静的構成および動的信号伝達のうちの１つによって特定される、請求項１２に記載のアクセスノード。
【請求項１９】
複数の異なるＵＥからの複数の非周期的ＳＲＳ信号が周波数領域において多重化され、各ＳＲＳ信号の周波数場所は、異なるサブフレームにおいて変動し、システムフレームｎｆのスロットｎｓにおける非周期的ＳＲＳ信号の開始副搬送波の指数は、以下の方程式に従って計算され、
【数５６】
0005566537.tif 000072
である、請求項１２に記載のアクセスノード。
【請求項２０】
ｎＳＲＳは、以下の方程式に従って計算され、
【数５７】
0005566537.tif 000073
ここで、ＮＡＳＲＳは、
【化３３】
0005566537.tif 000074
における入力の数、すなわち、各フレームにおける非周期的ＳＲＳサブフレームの数であり、
【数５８】
0005566537.tif 000075
であり、ここで、
【化３４】
0005566537.tif 000076
は、ｘ以下である最大の整数を示す、請求項１９に記載のアクセスノード。
【請求項２１】
複数の異なるＵＥからの複数の非周期的ＳＲＳ信号が周波数領域において多重化され、各ＳＲＳ信号の周波数場所は、異なるサブフレームにおいて変動し、システムフレームｎｆのスロットｎｓにおける非周期的ＳＲＳ信号の開始副搬送波の指数は、以下の方程式に従って計算され、
【数５９】
0005566537.tif 000077
に従って計算される、請求項１４に記載のアクセスノード。
【請求項２２】
ユーザ機器（ＵＥ）であって、
前記ＵＥがサウンディング参照信号（ＳＲＳ）を伝送するように構成されているプロセッサを備え、
前記ＵＥは、ＳＲＳが伝送されることができる一組のＳＲＳサブフレームを示すメッセージを受信しており、前記ＵＥは、非周期的ＳＲＳ伝送が可能ではないＵＥである場合、前記ＵＥは、前記ＳＲＳサブフレームのうちのいずれかにおいて周期的ＳＲＳを伝送することを指示されることが可能であり、
前記ＵＥは、前記ＳＲＳサブフレームのうちのどれが周期的ＳＲＳ伝送に使用されるべきか、および前記ＳＲＳサブフレームのうちのどれが非周期的ＳＲＳ伝送に使用されるかを示すメッセージをさらに受信しており、
周期的ＳＲＳ伝送は、第１のサブフレームにおいてＵＥによって伝送されるＳＲＳ伝送であり、前記第１のサブフレームは、少なくとも前記ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、前記第２のサブフレームは、少なくとも前記ＵＥへの物理制御チャネル上の伝送によって決定される、ＵＥ。
【請求項２３】
前記ＳＲＳが伝送されることが可能な一組のＳＲＳサブフレームは、表における第１の入力によって特定され、前記表における各入力は、割り付けられるサブフレームの周期性と割付け周期が始まる前記第１のサブフレームからのオフセットとを含み、周期的ＳＲＳ伝送に使用されるべきサブフレームおよび非周期的ＳＲＳ伝送に使用されるべきサブフレームは、前記表における第２の入力によって特定され、前記第２の入力の周期性部分は、前記割り付けられるサブフレームの間での周期的および非周期的サブフレームのパターンを特定し、前記第２の入力のオフセット部分は、前記パターンが始まる前記第１のサブフレームからのオフセットを特定する、請求項２２に記載のＵＥ。
【請求項２４】
前記ＳＲＳサブフレームのうちのどれが周期的ＳＲＳ伝送に使用されるべきか、および前記ＳＲＳサブフレームのうちのどれが非周期的ＳＲＳ伝送に使用されるべきかを信号伝達するステップは、
第１のメッセージを第１のＵＥに伝送することであって、前記第１のメッセージは、前記第１のＵＥが非周期的ＳＲＳを伝送し得る第１の組のサブフレームを示す、ことと、
第２のメッセージを第２のＵＥに伝送することであって、前記第２のメッセージは、前記第２のＵＥが周期的ＳＲＳを伝送し得る第２組のサブフレームを示す、ことと
をさらに含み、
サブフレームにおいて、前記第１のＵＥは、第１のＳＲＳリソース上で非周期的ＳＲＳを伝送し、前記第２のＵＥは、第２のＳＲＳリソース上で周期的ＳＲＳを伝送し、前記第１のＳＲＳリソースおよび前記第２のＳＲＳリソースは異なり、ＳＲＳリソースは、ＳＲＳ循環シフトまたはＳＲＳコームまたは一組のリソースブロックのうちの少なくとも１つを含む、請求項２２に記載のＵＥ。
【請求項２５】
アクセスノードが、セル特定のメッセージを伝送し、前記セル特定のメッセージは、前記割り付けられるサブフレームのうちのどれが周期的ＳＲＳサブフレームおよび非周期的ＳＲＳサブフレームのうちの一方であるかを示し、前記割り付けられるサブフレームの残りは、周期的ＳＲＳサブフレームおよび非周期的ＳＲＳサブフレームのうちの他方であり、ＳＲＳが前記非周期的ＳＲＳサブフレームにおいて伝送される場合、非周期的ＳＲＳのみが前記非周期的ＳＲＳサブフレームにおいて伝送される、請求項２２に記載のＵＥ。
【請求項２６】
前記アクセスノードは、ＵＥ特定の非周期的ＳＲＳ構成情報を含むＵＥ特定のメッセージをさらに伝送する、請求項２５に記載のＵＥ。
【請求項２７】
前記セル特定のメッセージおよび前記ＵＥ特定のメッセージは、半静的上位層信号伝達である、請求項２６に記載のＵＥ。
【請求項２８】
トリガが受信された後に伝送される非周期的ＳＲＳ伝送の数は、半静的構成および動的信号伝達のうちの１つによって特定される、請求項２２に記載のＵＥ。
【請求項２９】
システムフレームｎｆのスロットｎｓにおける開始副搬送波の指数は、以下の方程式に従って計算され、
【数６０】
0005566537.tif 000078
である、請求項２２に記載のＵＥ。
【請求項３０】
ｎＳＲＳは、以下の方程式に従って計算され、
【数６１】
0005566537.tif 000079
ここで、ＮＡＳＲＳは、
【化３５】
0005566537.tif 000080
における入力の数、すなわち、各フレームにおける非周期的ＳＲＳサブフレームの数であり、
【数６２】
0005566537.tif 000081
であり、ここで、
【化３６】
0005566537.tif 000082
は、ｘ以下である最大の整数を示す、請求項２９に記載のＵＥ。
【請求項３１】
複数の非周期的ＳＲＳ信号が前記周波数領域において多重化され、各ＳＲＳ信号の周波数場所は、異なるサブフレームにおいて変動し、システムフレームｎｆのスロットｎｓにおける開始副搬送波の指数は、以下の方程式に従って計算され、
【数６３】
0005566537.tif 000083
に従って計算される、請求項２４に記載のＵＥ。
【発明の詳細な説明】
【背景技術】
【０００１】
本明細書で使用される場合、「ユーザ機器」および「ＵＥ」という用語は、場合によっては、携帯電話、携帯情報端末、手持ち式またはラップトップコンピュータ、および電気通信能力を有する同様のデバイス等の、携帯デバイスを指すことができる。そのようなＵＥは、デバイスと、加入者識別モジュール（ＳＩＭ）アプリケーション、汎用加入者識別モジュール（ＵＳＩＭ）アプリケーション、または可撤性ユーザ識別モジュール（Ｒ−ＵＩＭ）アプリケーションを含む汎用集積回路カード（ＵＩＣＣ）等であるが、それに限定されないその関連可撤性メモリモジュールとから成る場合がある。代替として、そのようなＵＥは、そのようなモジュールがないデバイス自体から成る場合がある。他の場合において、「ＵＥ」という用語は、デスクトップコンピュータ、セットトップボックス、またはネットワークアプライアンス等の、同様の能力を有するが運搬可能ではないデバイスを指す場合がある。「ＵＥ」という用語はまた、ユーザのための通信セッションを終結させることができる、任意のハードウェアまたはソフトウェア構成要素も指すことができる。また、「ユーザ機器」、「ＵＥ」、「ユーザエージェント」、「ＵＡ」、「ユーザデバイス」、および「ユーザノード」という用語は、本明細書で同意語として使用される場合がある。
【０００２】
また、本明細書で使用される場合、「上位層信号伝達」は、物理層よりも高いプロトコル層に由来し、物理層の動作を制御する制御メッセージを指す。そのようなメッセージは、典型的には、物理制御チャネル以外の物理チャネル上で搬送される。上位層信号伝達は、比較的低い頻度でＵＥに送信され、おそらく、１秒につきいくつか以下のメッセージである。これらの速度で物理層パラメータが設定または変更されることを可能にする、上位層信号伝達は、「半静的」であると呼ばれる。
【０００３】
対照的に、本明細書で使用される「動的信号伝達」は、物理層を制御するように頻繁に送信される信号伝達を指す。そのような信号伝達は、比較的少数の情報ビットを備え、連続的にＵＥに送信され得る。動的信号伝達はしばしば、動的信号伝達において見られる、小さいサイズおよび厳密な遅延要件のために最適化される、物理制御チャネル上で搬送される。
【０００４】
本明細書で検討されるように、ＵＥは、「ＵＥ特定の」方式で個別に、または「セル特定の」方式でセルによってサービス提供される一群のＵＥとしてアクセスされ得る。したがって、「ＵＥ特定の」メッセージは、ＵＥに伝送され、そのＵＥのみによって使用されることを目的とするメッセージである。したがって、「セル特定の」メッセージは、セルの中の全てのＵＥによって使用されることを目的とするセルによってサービス提供される、一群のＵＥに伝送されるメッセージである。セル特定の信号伝達は、それを同時に受信する複数のＵＥに最も頻繁に送られるが、異なる時に異なるＵＥに送信することもできる。同様に、ＵＥ特定の物理層リソースが、ＵＥに割り付けられるものである一方で、セル特定の物理層リソースは、セルの中の複数のＵＥに割り付けられ得る。さらに、ＵＥ特定の情報要素またはパラメータが、そのＵＥによって使用される情報である一方で、セル特定の情報要素またはパラメータは、セルによってサービス提供される全てのＵＥによって使用される情報である。
【０００５】
電気通信技術が進化するにつれて、以前は可能ではなかったサービスを提供することができる、より高度なネットワークアクセス機器が導入されてきた。このネットワークアクセス機器は、従来の無線電気通信システムにおける同等機器の改良である、システムおよびデバイスを含む場合がある。そのような高度または次世代機器は、ロングタームエボリューション（ＬＴＥ）等の進化型無線通信規格に含まれ得る。例えば、ＬＴＥシステムは、従来の基地局よりもむしろ、進化型汎用地上波無線アクセスネットワーク（Ｅ−ＵＴＲＡＮ）ノードＢ（ｅＮＢ）、無線アクセスポイント、または同様の構成要素を含む場合がある。本明細書で使用される場合、「アクセスノード」という用語は、ＵＡまたは中継ノードが電気通信システムの中の他の構成要素にアクセスすることを可能にする、受信および伝送可能範囲の地理的領域を生成する、従来の基地局、無線アクセスポイント、またはＬＴＥ  ｅＮＢ等の無線ネットワークの任意の構成要素を指す。アクセスノードは、複数のハードウェアおよびソフトウェアを備え得る。ＬＴＥが、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｒｅｌｅａｓｅ  ８（Ｒｅｌ−８またはＲ８）およびＲｅｌｅａｓｅ  ９（Ｒｅｌ−９またはＲ９）に対応すると言われ得る一方で、ＬＴＥ−Ａは、Ｒｅｌｅａｓｅ  １０（Ｒｅｌ−１０またはＲ１０）およびおそらくＲｅｌｅａｓｅ  １０以降のリリースに対応すると言われ得る。
【０００６】
アップリンク（ＵＬ）は、ＵＥからアクセスノードへの通信リンクを指し、ダウンリンク（ＤＬ）は、アクセスノードからＵＥへの通信リンクを指す。ＵＬ許可は、ＵＥがデータをアクセスノードに伝送することを可能にする、物理制御チャネル上でアクセスノードによってＵＥに提供される制御メッセージである。ＤＬ許可は、アクセスノードがデータをＵＥに伝送することを示す、物理制御チャネル上でアクセスノードによってＵＥに提供される制御メッセージである。
【発明の概要】
【課題を解決するための手段】
【０００７】
最初に、本開示の１つ以上の実施形態の例証的実装を以下で提供するが、開示されたシステムおよび／または方法は、現在既知であるか、または既存であるかにかかわらず、任意の数の技法を使用して実装され得ることを理解されたい。本開示は、本明細書で例証および説明される例示的設計および実装を含む、以下で例証される例証的実装、図面、および技法に決して限定されるべきではなく、同等物の全範囲とともに、添付の請求項の範囲内で修正され得る。
本発明は、例えば、以下を提供する。
（項目１）
リソース割付け方法であって、
サウンディング参照信号（ＳＲＳ）が伝送されることが可能な一組のＳＲＳサブフレームを信号伝達することであって、非周期的ＳＲＳ伝送が可能ではないユーザ機器（ＵＥ）は、上記ＳＲＳサブフレームのうちのいずれかにおいて周期的ＳＲＳを伝送することを指示されることが可能である、ことと、
上記ＳＲＳサブフレームのうちのどれが周期的ＳＲＳ伝送に使用されるべきか、および上記ＳＲＳサブフレームのうちのどれが非周期的ＳＲＳ伝送に使用されるべきかを信号伝達することと
を含み、
周期的ＳＲＳ伝送は、第１のサブフレームにおいてＵＥによって伝送されるＳＲＳ伝送であり、上記第１のサブフレームは、少なくとも上記ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、上記第２のサブフレームは、少なくとも上記ＵＥへの物理制御チャネル上の伝送によって決定される、方法。
（項目２）
上記ＳＲＳが伝送されることが可能な一組のＳＲＳサブフレームは、表における第１の入力によって特定され、上記表における各入力は、割り付けられるサブフレームの周期性と割付け周期が始まる上記第１のサブフレームからのオフセットとを含み、周期的ＳＲＳ伝送に使用されるべきサブフレームおよび非周期的ＳＲＳ伝送に使用されるべきサブフレームは、上記表における第２の入力によって特定され、上記第２の入力の周期性部分は、上記割り付けられるサブフレームの間での周期的および非周期的サブフレームのパターンを特定し、上記第２の入力のオフセット部分は、上記パターンが始まる上記第１のサブフレームからのオフセットを特定する、項目１に記載の方法。
（項目３）
上記ＳＲＳサブフレームのうちのどれが周期的ＳＲＳ伝送に使用されるべきか、および上記ＳＲＳサブフレームのうちのどれが非周期的ＳＲＳ伝送に使用されるべきかを信号伝達するステップは、
第１のメッセージを第１のＵＥに伝送することであって、上記第１のメッセージは、上記第１のＵＥが非周期的ＳＲＳを伝送し得る第１の組のサブフレームを示す、ことと、
第２のメッセージを第２のＵＥに伝送することであって、上記第２のメッセージは、上記第２のＵＥが周期的ＳＲＳを伝送し得る第２の組のサブフレームを示す、ことと
をさらに含み、
サブフレームにおいて、上記第１のＵＥは、第１のＳＲＳリソース上で非周期的ＳＲＳを伝送し、上記第２のＵＥは、第２のＳＲＳリソース上で周期的ＳＲＳを伝送し、上記第１のＳＲＳリソースおよび上記第２のＳＲＳリソースは異なり、ＳＲＳリソースは、ＳＲＳ循環シフトまたはＳＲＳコームまたは一組のリソースブロックのうちの少なくとも１つを含む、項目１に記載の方法。
（項目４）
アクセスノードが、セル特定のメッセージを伝送し、上記セル特定のメッセージは、上記割り付けられるサブフレームのうちのどれが周期的ＳＲＳサブフレームおよび非周期的ＳＲＳサブフレームのうちの一方であるかを示し、上記割り付けられるサブフレームの残りは、上記周期的ＳＲＳサブフレームおよび非周期的ＳＲＳサブフレームのうちの他方であり、ＳＲＳが上記非周期的ＳＲＳサブフレームにおいて伝送される場合、非周期的ＳＲＳのみが上記非周期的ＳＲＳサブフレームにおいて伝送される、項目１に記載の方法。
（項目５）
上記アクセスノードは、ＵＥ特定の非周期的ＳＲＳ構成情報を含むＵＥ特定のメッセージをさらに伝送する、項目４に記載の方法。
（項目６）
上記セル特定のメッセージおよび上記ＵＥ特定のメッセージは、半静的上位層信号伝達である、項目５に記載の方法。
（項目７）
トリガが受信された後に伝送される非周期的ＳＲＳ伝送の数は、半静的構成および動的信号伝達のうちの１つによって特定される、項目１に記載の方法。
（項目８）
複数の非周期的ＳＲＳ信号が、周波数領域において多重化され、各ＳＲＳ信号の周波数場所は、異なるサブフレームにおいて変動する、項目１に記載の方法。
（項目９）
システムフレームｎｆのスロットｎｓにおける開始副搬送波の指数は、以下の方程式に従って計算され、
【数５１】
0005566537.tif 000002
である、項目８に記載の方法。
（項目１０）
ｎＳＲＳは、以下の方程式に従って計算され、
【数５２】
0005566537.tif 000003
ここで、ＮＡＳＲＳは、
【化３１】
0005566537.tif 000004
における入力の数、すなわち、各フレームにおける非周期的ＳＲＳサブフレームの数であり、
【数５３】
0005566537.tif 000005
であり、ここで、
【化３２】
0005566537.tif 000006
は、ｘ以下である最大の整数を示す、項目９に記載の方法。
（項目１１）
複数の非周期的ＳＲＳ信号が周波数領域において多重化され、各ＳＲＳ信号の周波数場所は、異なるサブフレームにおいて変動し、システムフレームｎｆのスロットｎｓにおける開始副搬送波の指数は、以下の方程式に従って計算され、
【数５４】
0005566537.tif 000007
に従って計算される、項目３に記載の方法。
（項目１２）
無線電気通信システムにおけるアクセスノードであって、
上記アクセスノードが、サウンディング参照信号（ＳＲＳ）が伝送されることが可能な一組のＳＲＳサブフレームを信号伝達するように構成されているプロセッサを備え、
非周期的ＳＲＳ伝送が可能ではないユーザ機器（ＵＥ）は、上記ＳＲＳサブフレームのうちのいずれかにおいて周期的ＳＲＳを伝送することを指示されることが可能であり、
上記プロセッサは、上記アクセスノードが、上記ＳＲＳサブフレームのうちのどれが周期的ＳＲＳ伝送に使用されるべきか、および、上記ＳＲＳサブフレームのうちのどれが非周期的ＳＲＳ伝送に使用されるべきかを信号伝達するようにさらに構成され、
周期的ＳＲＳ伝送は、第１のサブフレームにおいてＵＥによって伝送されるＳＲＳ伝送であり、上記第１のサブフレームは、少なくとも上記ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、上記第２のサブフレームは、少なくとも上記ＵＥへの物理制御チャネル上の伝送によって決定される、
アクセスノード。
（項目１３）
上記ＳＲＳが伝送されることが可能な一組のＳＲＳサブフレームは、表における第１の入力によって特定され、上記表における各入力は、割り付けられるサブフレームの周期性と割付け周期が始まる上記第１のサブフレームからのオフセットとを含み、周期的ＳＲＳ伝送に使用されるべきサブフレームおよび非周期的ＳＲＳ伝送に使用されるべきサブフレームは、上記表における第２の入力によって特定され、上記第２の入力の周期性部分は、上記割り付けられるサブフレームの間での周期的および非周期的サブフレームのパターンを特定し、上記第２の入力のオフセット部分は、上記パターンが始まる上記第１のサブフレームからのオフセットを特定する、項目１２に記載のアクセスノード。
（項目１４）
上記ＳＲＳサブフレームのうちのどれが周期的ＳＲＳ伝送に使用されるべきか、および、上記ＳＲＳサブフレームのうちのどれが非周期的ＳＲＳ伝送に使用されるべきかを信号伝達するステップは、
第１のメッセージを第１のＵＥに伝送することであって、上記第１のメッセージは、上記第１のＵＥが非周期的ＳＲＳを伝送し得る第１の組のサブフレームを示す、ことと、
第２のメッセージを第２のＵＥに伝送することであって、上記第２のメッセージは、上記第２のＵＥが周期的ＳＲＳを伝送し得る第２の組のサブフレームを示す、ことと
をさらに含み、
サブフレームにおいて、上記第１のＵＥは、第１のＳＲＳリソース上で非周期的ＳＲＳを伝送し、上記第２のＵＥは、第２のＳＲＳリソース上で周期的ＳＲＳを伝送し、上記第１のＳＲＳリソースおよび上記第２のＳＲＳリソースは異なり、ＳＲＳリソースは、ＳＲＳ循環シフトまたはＳＲＳコームまたは一組のリソースブロックのうちの少なくとも１つを含む、項目１２に記載のアクセスノード。
（項目１５）
アクセスノードは、セル特定のメッセージを伝送し、上記セル特定のメッセージは、上記割り付けられるサブフレームのうちのどれが周期的ＳＲＳサブフレームおよび非周期的ＳＲＳサブフレームのうちの一方であるかを示し、上記割り付けられるサブフレームの残りは、上記周期的ＳＲＳサブフレームおよび非周期的ＳＲＳサブフレームのうちの他方であり、ＳＲＳが上記非周期的ＳＲＳサブフレームにおいて伝送される場合、非周期的ＳＲＳのみが上記非周期的ＳＲＳサブフレームにおいて伝送される、項目１２に記載のアクセスノード。
（項目１６）
上記アクセスノードは、ＵＥ特定の非周期的ＳＲＳ構成情報を含むＵＥ特定のメッセージをさらに伝送する、項目１５に記載のアクセスノード。
（項目１７）
上記セル特定のメッセージおよび上記ＵＥ特定のメッセージは、半静的上位層信号伝達である、項目１６に記載のアクセスノード。
（項目１８）
トリガが受信された後に伝送される非周期的ＳＲＳ伝送の数は、半静的構成および動的信号伝達のうちの１つによって特定される、項目１２に記載のアクセスノード。
（項目１９）
複数の非周期的ＳＲＳ信号が周波数領域において多重化され、各ＳＲＳ信号の周波数場所は、異なるサブフレームにおいて変動し、システムフレームｎｆのスロットｎｓにおける非周期的ＳＲＳ信号の開始副搬送波の指数は、以下の方程式に従って計算され、
【数５６】
0005566537.tif 000008
である、項目１２に記載のアクセスノード。
（項目２０）
ｎＳＲＳは、以下の方程式に従って計算され、
【数５７】
0005566537.tif 000009
ここで、ＮＡＳＲＳは、
【化３３】
0005566537.tif 000010
における入力の数、すなわち、各フレームにおける非周期的ＳＲＳサブフレームの数であり、
【数５８】
0005566537.tif 000011
であり、ここで、
【化３４】
0005566537.tif 000012
は、ｘ以下である最大の整数を示す、項目１９に記載のアクセスノード。
（項目２１）
複数の非周期的ＳＲＳ信号が周波数領域において多重化され、各ＳＲＳ信号の周波数場所は、異なるサブフレームにおいて変動し、システムフレームｎｆのスロットｎｓにおける非周期的ＳＲＳ信号の開始副搬送波の指数は、以下の方程式に従って計算され、
【数５９】
0005566537.tif 000013
に従って計算される、項目１４に記載のアクセスノード。
（項目２２）
ユーザ機器（ＵＥ）であって、
上記ＵＥがサウンディング参照信号（ＳＲＳ）を伝送するように構成されているプロセッサを備え、
上記ＵＥは、ＳＲＳが伝送されることができる一組のＳＲＳサブフレームを示すメッセージを受信しており、上記ＵＥは、非周期的ＳＲＳ伝送が可能ではないＵＥである場合、上記ＵＥは、上記ＳＲＳサブフレームのうちのいずれかにおいて周期的ＳＲＳを伝送することを指示されることが可能であり、
上記ＵＥは、上記ＳＲＳサブフレームのうちのどれが周期的ＳＲＳ伝送に使用されるべきか、および上記ＳＲＳサブフレームのうちのどれが非周期的ＳＲＳ伝送に使用されるかを示すメッセージをさらに受信しており、
周期的ＳＲＳ伝送は、第１のサブフレームにおいてＵＥによって伝送されるＳＲＳ伝送であり、上記第１のサブフレームは、少なくとも上記ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、上記第２のサブフレームは、少なくとも上記ＵＥへの物理制御チャネル上の伝送によって決定される、ＵＥ。
（項目２３）
上記ＳＲＳが伝送されることが可能な一組のＳＲＳサブフレームは、表における第１の入力によって特定され、上記表における各入力は、割り付けられるサブフレームの周期性と割付け周期が始まる上記第１のサブフレームからのオフセットとを含み、周期的ＳＲＳ伝送に使用されるべきサブフレームおよび非周期的ＳＲＳ伝送に使用されるべきサブフレームは、上記表における第２の入力によって特定され、上記第２の入力の周期性部分は、上記割り付けられるサブフレームの間での周期的および非周期的サブフレームのパターンを特定し、上記第２の入力のオフセット部分は、上記パターンが始まる上記第１のサブフレームからのオフセットを特定する、項目２２に記載のＵＥ。
（項目２４）
上記ＳＲＳサブフレームのうちのどれが周期的ＳＲＳ伝送に使用されるべきか、および上記ＳＲＳサブフレームのうちのどれが非周期的ＳＲＳ伝送に使用されるべきかを信号伝達するステップは、
第１のメッセージを第１のＵＥに伝送することであって、上記第１のメッセージは、上記第１のＵＥが非周期的ＳＲＳを伝送し得る第１の組のサブフレームを示す、ことと、
第２のメッセージを第２のＵＥに伝送することであって、上記第２のメッセージは、上記第２のＵＥが周期的ＳＲＳを伝送し得る第２組のサブフレームを示す、ことと
をさらに含み、
サブフレームにおいて、上記第１のＵＥは、第１のＳＲＳリソース上で非周期的ＳＲＳを伝送し、上記第２のＵＥは、第２のＳＲＳリソース上で周期的ＳＲＳを伝送し、上記第１のＳＲＳリソースおよび上記第２のＳＲＳリソースは異なり、ＳＲＳリソースは、ＳＲＳ循環シフトまたはＳＲＳコームまたは一組のリソースブロックのうちの少なくとも１つを含む、項目２２に記載のＵＥ。
（項目２５）
アクセスノードが、セル特定のメッセージを伝送し、上記セル特定のメッセージは、上記割り付けられるサブフレームのうちのどれが周期的ＳＲＳサブフレームおよび非周期的ＳＲＳサブフレームのうちの一方であるかを示し、上記割り付けられるサブフレームの残りは、周期的ＳＲＳサブフレームおよび非周期的ＳＲＳサブフレームのうちの他方であり、ＳＲＳが上記非周期的ＳＲＳサブフレームにおいて伝送される場合、非周期的ＳＲＳのみが上記非周期的ＳＲＳサブフレームにおいて伝送される、項目２２に記載のＵＥ。
（項目２６）
上記アクセスノードは、ＵＥ特定の非周期的ＳＲＳ構成情報を含むＵＥ特定のメッセージをさらに伝送する、項目２５に記載のＵＥ。
（項目２７）
上記セル特定のメッセージおよび上記ＵＥ特定のメッセージは、半静的上位層信号伝達である、項目２６に記載のＵＥ。
（項目２８）
トリガが受信された後に伝送される非周期的ＳＲＳ伝送の数は、半静的構成および動的信号伝達のうちの１つによって特定される、項目２２に記載のＵＥ。
（項目２９）
システムフレームｎｆのスロットｎｓにおける開始副搬送波の指数は、以下の方程式に従って計算され、
【数６０】
0005566537.tif 000014
である、項目２２に記載のＵＥ。
（項目３０）
ｎＳＲＳは、以下の方程式に従って計算され、
【数６１】
0005566537.tif 000015
ここで、ＮＡＳＲＳは、
【化３５】
0005566537.tif 000016
における入力の数、すなわち、各フレームにおける非周期的ＳＲＳサブフレームの数であり、
【数６２】
0005566537.tif 000017
であり、ここで、
【化３６】
0005566537.tif 000018
は、ｘ以下である最大の整数を示す、項目２９に記載のＵＥ。
（項目３１）
複数の非周期的ＳＲＳ信号が上記周波数領域において多重化され、各ＳＲＳ信号の周波数場所は、異なるサブフレームにおいて変動し、システムフレームｎｆのスロットｎｓにおける開始副搬送波の指数は、以下の方程式に従って計算され、
【数６３】
0005566537.tif 000019
に従って計算される、項目２４に記載のＵＥ。
（項目３２）
リソース割付け方法であって、上記方法は、
非周期的サウンディング参照信号（ＳＲＳ）を伝送する場合に、ユーザ機器（ＵＥ）が使用するためのリソースを動的に信号伝達することを含み、
上位層信号伝達が、上記ＵＥが伝送することが可能な一組のリソースを示し、動的物理層信号伝達が、上記一組のリソース内のどのリソースを、上記ＵＥが上記ＳＲＳを伝送するために使用すべきかを示し、上記動的物理層信号伝達は、物理制御チャネル上で搬送され、非周期的ＳＲＳ伝送は、サブフレームにおいてＵＥによって伝送されるＳＲＳ伝送であり、上記サブフレームは、少なくとも上記ＵＥへの物理制御チャネル上の伝送によって決定される、リソース割付け方法。
（項目３３）
上記物理層信号伝達は、
非周期的ＳＲＳ伝送の開始副搬送波の指数、
上記開始副搬送波の指数からのオフセット、
非周期的循環シフト、および、
上記非周期的循環シフトからのオフセット
のうちの少なくとも１つを特定する、項目３２に記載の方法。
（項目３４）
上記物理層信号伝達が上記開始副搬送波の指数を特定する場合、上記開始副搬送波の指数は、以下の方程式に従って計算され、
【数６４】
0005566537.tif 000020
である、項目３３に記載の方法。
（項目３５）
上記物理層信号伝達が上記開始副搬送波の指数からのオフセットを特定する場合、上記開始副搬送波の指数からのオフセットは、以下の方程式に従って計算され、
【数６５】
0005566537.tif 000021
である、項目３３に記載の方法。
（項目３６）
上記物理層信号伝達が、上記非周期的循環シフトからのオフセットを特定する場合、上記非周期的循環シフトは、以下の方程式に従って計算される、
【数６６】
0005566537.tif 000022
項目３３に記載の方法。
（項目３７）
無線電気通信システムにおけるアクセスノードであって、
非周期的サウンディング参照信号（ＳＲＳ）を伝送する場合に、ユーザ機器（ＵＥ）が使用するためのリソースを、上記アクセスノードが動的に信号伝達するように構成されているプロセッサを備え、上位層信号伝達が、上記ＵＥが伝送することが可能な一組のリソースを示し、動的物理層信号伝達が、上記一組のリソース内のどのリソースを、上記ＵＥが上記ＳＲＳを伝送するために使用すべきかを示し、上記動的物理層信号伝達は、物理制御チャネル上で搬送され、非周期的ＳＲＳ伝送は、サブフレームにおいてＵＥによって伝送されるＳＲＳ伝送であり、上記サブフレームは、少なくとも上記ＵＥへの上記物理制御チャネル上の伝送によって決定される、アクセスノード。
（項目３８）
上記物理層信号伝達は、
非周期的ＳＲＳ伝送の開始副搬送波の指数、
上記開始副搬送波の指数からのオフセット、
非周期的循環シフト、および、
上記非周期的循環シフトからのオフセット、
のうちの少なくとも１つを特定する、項目３７に記載のアクセスノード。
（項目３９）
上記物理層信号伝達が上記開始副搬送波の指数を特定する場合、上記開始副搬送波の指数は、以下の方程式に従って計算され、
【数６７】
0005566537.tif 000023
である、項目３８に記載のアクセスノード。
（項目４０）
上記物理層信号伝達が上記開始副搬送波の指数からのオフセットを特定する場合、上記開始副搬送波の指数からのオフセットは、以下の方程式に従って計算され、
【数６８】
0005566537.tif 000024
である、項目３８に記載のアクセスノード。
（項目４１）
上記物理層信号伝達が上記非周期的循環シフトからの上記オフセットを特定する場合、上記非周期的循環シフトは、以下の方程式に従って計算される、
【数６９】
0005566537.tif 000025
項目３８に記載のアクセスノード。
（項目４２）
ユーザ機器（ＵＥ）であって、上記ＵＥは、
非周期的サウンディング参照信号（ＳＲＳ）を伝送する際に使用するために上記ＵＥに動的に信号伝達されたリソース上で、上記ＵＥが上記ＳＲＳを伝送するように構成されているプロセッサを備え、リソースの動的仕様は、上記ＵＥが伝送することが可能な一組のリソースを示した上位層信号伝達と、上記一組のリソース内のどのリソースを、上記ＵＥが上記ＳＲＳを伝送するために使用することが可能であるかを示した動的物理層信号伝達とを含み、上記動的物理層信号伝達は、物理制御チャネル上で搬送され、非周期的ＳＲＳ伝送は、サブフレームにおいてＵＥによって伝送されるＳＲＳ伝送であり、上記サブフレームは、少なくとも上記ＵＥへの上記物理制御チャネル上の伝送によって決定される、
ＵＥ。
（項目４３）
上記物理層信号伝達は、
非周期的ＳＲＳ伝送の開始副搬送波の指数、
上記開始副搬送波の指数からのオフセット、
非周期的循環シフト、および、
上記非周期的循環シフトからのオフセット
のうちの少なくとも１つを特定する、項目４２に記載のＵＥ。
（項目４４）
上記物理層信号伝達が上記開始副搬送波の指数を特定する場合、上記開始副搬送波の指数は、以下の方程式に従って計算され、
【数７０】
0005566537.tif 000026
である、項目４３に記載のＵＥ。
（項目４５）
上記物理層信号伝達が上記開始副搬送波の指数からのオフセットを特定する場合、上記開始副搬送波の指数からのオフセットは、以下の方程式に従って計算され、
【数７１】
0005566537.tif 000027
である、項目４３に記載のＵＥ。
（項目４６）
上記物理層信号伝達が上記非周期的循環シフトからのオフセットを特定する場合、上記非周期的循環シフトは、以下の方程式に従って計算される、
【数７２】
0005566537.tif 000028
項目４３に記載のＵＥ。
【図面の簡単な説明】
【０００８】
ここで、本開示のより完全な理解のために、添付の図面および発明を実施するための形態と関連して解釈される、以下の簡単な説明を参照し、類似参照数字は、類似部品を表す。
【図１】図１は、ＬＴＥサブフレームの中のサウンディング参照信号（ＳＲＳ）の場所を図示する。
【図２】図２は、ＬＴＥ  Ｒｅｌ−８サウンディング参照信号サブフレーム構成を図示する。
【図３】図３は、本開示の実施形態による、単一の伝送アンテナを伴う混合Ｒｅｌ−８ＵＥおよび複数の伝送アンテナを伴うＲｅｌ−１０ＵＥがある、ＬＴＥシステムの実施例を図示する。
【図４】図４は、ＬＴＥ  Ｒｅｌ−８セル特定のＳＲＳ構成情報要素（ＩＥ）を図示する。
【図５】図５は、本開示の実施形態による、セル特定の周期的ＳＲＳ構成ＩＥを図示する。
【図６Ａ】図６は、本開示の実施形態による、サブフレームベースのＳＲＳリソース分割を図示する。
【図６Ｂ】図６は、本開示の実施形態による、サブフレームベースのＳＲＳリソース分割を図示する。
【図７】図７は、本開示の実施形態による、マルチショット非周期的ＳＲＳ伝送のタイミングを図示する。
【図８】図８は、本開示の実施形態による、非周期的ＳＲＳをサポートする際信号伝達例を図示する。
【図９】図９は、本開示の実施形態による、ビットマップベースの周期的ＳＲＳサブフレーム構成を図示する。
【図１０】図１０は、本開示の実施形態による、ビットマップベースの非周期的ＳＲＳサブフレーム構成を図示する。
【図１１】図１１は、Ｒｅｌ−８ＵＥ特定のＳＲＳ構成ＩＥを図示する。
【図１２】図１２は、本開示の実施形態による、ＵＥ特定の非周期的ＳＲＳ構成ＩＥを図示する。
【図１３】図１３は、本開示の実施形態による、共有された周期的および非周期的リソースに対するＵＥ特定の非周期的ＳＲＳ構成ＩＥを図示する。
【図１４】図１４は、本開示の実施形態による、非周期的ＳＲＳに対する周波数ホッピングサポートを図示する。
【図１５】図１５は、本開示の実施形態による、５つのＵＥを伴うＵＥ特定の非周期的ＳＲＳ構成例を図示する。
【図１６Ａ】図１６ａは、本開示の実施形態による、セル特定のＳＲＳサブフレームを図示する。
【図１６Ｂ】図１６ｂは、本開示の実施形態による、非周期的ＳＲＳ伝送のための周波数領域場所を図示する。
【図１７】図１７は、本開示の実施形態による、４ビットを伴う動的非周期的ＳＲＳリソース信号伝達の実施例を図示する。
【図１８】図１８は、本開示の実施形態による、４ビットを伴う非周期的ＳＲＳの動的信号伝達の別の実施例を図示する。
【図１９】図１９は、本開示の実施形態による、リソース割付け方法を図示する。
【図２０】図２０は、本開示のいくつかの実施形態を実装するために好適なプロセッサおよび関連構成要素を図示する。
【発明を実施するための形態】
【０００９】
チャネルサウンディングは、変調およびコーディングスキームを割り当てるため、アップリンク伝送の周波数選択的スケジューリングのため、および多重入出力（ＭＩＭＯ）動作の場合にランクおよびアンテナプリコーディングマトリクスを選択するために、アップリンクチャネル状態情報を取得するために無線通信システムで時折使用される。この技法では、既知のサウンディング信号波形が、典型的には、伝送機と受信機との間で伝送され、チャネル状態情報は、既知のサウンディング信号に基づいて受信機で推定される。３ＧＰＰ  ＬＴＥ  Ｒｅｌ−８では、サウンディング参照信号（ＳＲＳ）は、典型的には、アップリンクタイミング補正、スケジューリング、およびリンク適応を促進するように、各接続ＵＥからアクセスノードへ周期的に伝送される。
【００１０】
３ＧＰＰ  ＬＴＥは、サブフレームおよび無線フレームに関するシステムタイミングを定義する。サブフレームが、長さ１ミリ秒である一方で、無線フレームは、長さ１０ミリ秒である。無線フレームは、０から１０２３に及ぶシステムフレーム指数によって番号付けされる。フレームにおいて、１０個のサブフレームのうちの１つ以上のサブフレームが、ＳＲＳが伝送される得るサブフレームとして指定される得る。ＳＲＳ伝送のために構成されているサブフレームでは、サブフレームの最後のシンボルが、典型的には、図１に示されるように、ＳＲＳ伝送に使用される。
【００１１】
Ｒｅｌ−８では、ＵＥ特定のＳＲＳリソースは、ＵＥ特定のＳＲＳ帯域幅、周波数領域位置、伝送コーム、循環シフト、サブフレーム周期性、およびサブフレームオフセットに関して、周波数、時間、およびコード領域において定義される。セル特定のＳＲＳリソースは、ＳＲＳ周期性、サブフレーム、オフセット、およびＳＲＳ帯域幅に関して、周波数および時間領域の両方において定義され、セルの中で半静的に構成される。セル特定のサブフレーム構成は、図２に示され、「ｓｒｓ−ＳｕｂｆｒａｍｅＣｏｎｆｉｇ」によって示されている。ＳＲＳサブフレームは、
【００１２】
【化１−１】
0005566537.tif 000029
を満たすサブフレームであり、式中、ｎｓ＝０，１，．．．，１９は、フレーム内のスロット指数である。
【００１３】
例えば、図２の行２１０の中のｓｒｓ−ＳｕｂｆｒａｍｅＣｏｎｆｉｇ０について、列２５０の中の構成周期は１であり、および列２６０の中のオフセットは０である。１という周期は、１０個のサブフレームのフレームの中の全サブフレームが、ＳＲＳ伝送のために構成されることを意味する。行２２０の中のｓｒｓ−ＳｕｂｆｒａｍｅＣｏｎｆｉｇ１について、構成周期は２であり、オフセットは０である。したがって、サブフレーム０から始まる２つごとのサブフレームは、この場合、ＳＲＳ伝送のために構成される。行２３０の中のｓｒｓ−ＳｕｂｆｒａｍｅＣｏｎｆｉｇ２について、構成周期は２であり、オフセットは１である。したがって、サブフレーム１から始まる２つごとのサブフレームは、この場合、ＳＲＳ伝送のために構成される。別の実施例として、行２４０の中のｓｒｓ−ＳｕｂｆｒａｍｅＣｏｎｆｉｇ５について、構成周期は５であり、オフセットは２である。したがって、サブフレーム２から始まる５つごとのサブフレームは、ＳＲＳ伝送のために構成される。Ｒｅｌ−８について、ＳＲＳ構成は周期的であり、複数の異なる周期性が利用可能であることが分かる。
【００１４】
ＬＴＥ  Ｒｅｌ−１０では、Ｒｅｌ−８の周期的ＳＲＳに加えて、非周期的ＳＲＳがサポートされることが合意されている。つまり、ＵＥは、常にアップリンクで伝送するデータを有するわけではないので、Ｒｅｌ−１０では、ＳＲＳは、ＵＥが伝送するデータを有する場合のみ伝送され得る。そのような非周期的ＳＲＳ伝送の使用によって、より少ないリソースが使用され、ＳＲＳおよびシステム無線リソース効率の両方が向上させられ得る。
【００１５】
そのようなＬＴＥシステムの実施例は、第１のＵＥ３１０および第２のＵＥ３２０が、各々が単一の伝送アンテナを伴うＲｅｌ−８ＵＥであり、第３のＵＥ３３０が、２つの伝送アンテナを伴うＲｅｌ−１０ＵＥである、図３に示されている。他の実施形態では、他の数のＲｅｌ−８およびＲｅｌ−１０ＵＥが存在することができ、他の数のアンテナがＵＥ３３０上に存在することができる。ＵＥ３１０およびＵＥ３２０は、周期的ＳＲＳをアクセスノード３４０に伝送することができる。ＵＥ３３０上の各アンテナは、周期的ＳＲＳ、非周期的ＳＲＳ、または両方をアクセスノード３４０に伝送することができる。
【００１６】
非周期的ＳＲＳ伝送がＲｅｌ−１０において許可されているが、周期的および非周期的リソースの共有に関する詳細は定義されていない。本開示の実施形態は、周期的および非周期的ＳＲＳの間のセル特定のリソース分割、セル特定の非周期的ＳＲＳリソース割付けの上位層信号伝達、ＵＥ特定の非周期的ＳＲＳリソース割付けの上位層信号伝達、動的信号伝達を伴わない狭帯域非周期的ＳＲＳを用いた周波数ホッピング、およびＵＥ特定の非周期的ＳＲＳリソース割付けの効率的な動的信号伝達等の、非周期的ＳＲＳ伝送に関係する問題に対処する。いくつかの実施形態は、半静的ＳＲＳ構成を使用して、これらの問題に対処し、他の実施形態は、ＳＲＳリソースの動的信号伝達に対処する。半静的解決策は、動的解決策よりも少ない信号伝達オーバーヘッドを有し得るが、動的解決策ほど融通性がない場合がある。動的解決策は、より大きな融通性を提供し得るが、半静的解決策よりも大きい信号伝達オーバーヘッドを有する場合がある。
【００１７】
実施形態では、周期的ＳＲＳと非周期的ＳＲＳとの間でリソースを分割する方法およびシステムが提供される。Ｒｅｌ−８セル特定のＳＲＳサブフレームリソースは、２つの部分に分けられ、一方はセル特定の周期的ＳＲＳ用であり、他方はセル特定の非周期的ＳＲＳ用である。Ｒｅｌ−８で使用される上位層セル特定のＳＲＳサブフレーム構成は、全ＳＲＳサブフレームリソースについてＵＥに知らせるために使用される。Ｒｅｌ−８およびＲｅｌ−１０ＵＥの両方について、この情報は、データおよびＳＲＳ伝送の間の衝突を回避するために、サブフレームの最後のシンボルがＳＲＳ伝送（周期的または非周期的）に使用されるか否かを決定するように、ＵＥによって使用される。Ｒｅｌ−１０ＵＥについて、全セル特定のＳＲＳリソース割付に加えて、周期的ＳＲＳ伝送と非周期的ＳＲＳ伝送との間のセル特定のＳＲＳリソースの分割も、上位層を通して信号伝達される。
【００１８】
ＳＲＳサブフレームを分割するそのような技法は、ＳＲＳのために構成されるサブフレームの割合およびサブフレームオフセットに関して、Ｒｅｌ−８と同じ全体的ＳＲＳリソース割付能力を維持する。それは、周期的および非周期的ＳＲＳの間の全セル特定のＳＲＳリソースの融通性のある（しかし半静的な）分割を可能にする。それはまた、周波数領域リソースを動的に信号伝達することなく、非周期的分割内で非周期的ＳＲＳ周波数ホッピングを可能にする。
【００１９】
この技法では、図４に示されるＲｅｌ−８のセル特定のＳＲＳ構成が、セルの中の全部のＳＲＳサブフレームを構成するために使用される。セル特定のＳＲＳサブフレームは、２つの部分集合に分けられ、一方はセル特定の周期的ＳＲＳ用であり、他方はセル特定の非周期的ＳＲＳ用である。このサブフレーム分割は、Ｒｅｌ−１０ＵＥのみによって使用され、図５に示されるような無線リソース制御（ＲＲＣ）信号伝達内の新しいセル特定の周期的ＳＲＳ構成情報要素（ＩＥ）を使用して信号伝達され、または代替として、新しいセル特定の非周期的ＳＲＳ構成ＩＥが使用される。これらのＩＥは、セルによって送られるシステム情報内で搬送される。図４および５の中の要素は、以下でさらに詳細に説明される。
【００２０】
周期的ＳＲＳと非周期的ＳＲＳとの間のいくつかの可能なサブフレーム分割が、図６に示されている。例えば、行６１０における分割＃２について、図２からのｓｒｓ−ＳｕｂｆｒａｍｅＣｏｎｆｉｇ＃０が、セルによってサービス提供される全てのＵＥに送られる。つまり、周期性は１であり、その行の中の各サブフレームの中の文字の存在によって示されるように、全てのサブフレームがＳＲＳ伝送のために構成されることを意味する。ＵＥは、ＳＲＳ伝送のために割り付けられたシンボルのサブフレームでＳＲＳを伝送し得る。加えて、図２からのｓｒｓ−ＳｕｂｆｒａｍｅＣｏｎｆｉｇ＃２は、周期的および非周期的ＳＲＳサブフレームの間の分割を決定するために、Ｒｅｌ−１０ＵＥのみによって使用される。つまり、ｓｒｓ−ＳｕｂｆｒａｍｅＣｏｎｆｉｇ＃２は、２という周期性、および１というオフセットを有する。したがって、サブフレーム１から始まる２つごとのサブフレームは、これらのサブフレームの中の文字「ｐ」によって示されるように、周期的ＳＲＳのために指定される。残りのサブフレームは、これらのサブフレームの中の文字「ａ」によって示されるように、非周期的ＳＲＳのために指定される。言い換えれば、この実施例では、サブフレームの１００％が、セル特定のＳＲＳサブフレームとして構成され、その半分は、周期的ＳＲＳのために構成され（サブフレーム＃１，３，…）、他方の半分は、非周期的ＳＲＳのために構成される（サブフレーム＃０，２，…）。
【００２１】
別の実施例として行６２０における分割＃４７を使用して、ｓｒｓ−ＳｕｂｆｒａｍｅＣｏｎｆｉｇ＃１４が全てのＵＥに送られる。つまり、図２から分かるように、ｓｒｓ−ＳｕｂｆｒａｍｅＣｏｎｆｉｇ＃１４は、１０という周期性、および｛０，１，２，３，４，５，６，８｝というオフセットを有する。したがって、サブフレーム０、１、２、３、４、５、６、および８が、その行の中のサブフレーム列の中の文字の存在によって示されるように、ＳＲＳ伝送のために構成される。加えて、ｓｒｓ−ＳｕｂｆｒａｍｅＣｏｎｆｉｇ＃４は、サブフレーム分割を決定するために、Ｒｅｌ−１０ＵＥのみによって使用される。つまり、図２から分かるように、ｓｒｓ−ＳｕｂｆｒａｍｅＣｏｎｆｉｇ＃４は、５という周期性、および１というオフセットを有する。したがって、サブフレーム１から始まる５つごとのサブフレームが、周期的ＳＲＳ伝送のために指定され、ＳＲＳ伝送のために構成される他のサブフレームは、非周期的ＳＲＳ伝送のために指定される。この場合、サブフレームの８０％は、ＳＲＳのために構成され、２０％が周期的ＳＲＳのために構成され、６０％が非周期的ＳＲＳのために構成される。
【００２２】
そのような分割方法が、周期的および非周期的サブフレームの間の異なるサブフレーム利用率を有する多くの可能な組み合わせを提供することが、図６から分かり、ｓｒｓ−ＳｕｂｆｒａｍｅＣｏｎｆｉｇ＃は、全セル特定のＳＲＳサブフレーム構成について全てのＵＥに知らせるために使用され、ｐｅｒｉｏｄｉｃ−ｓｒｓ−ＳｕｂｆｒａｍｅＣｏｎｆｉｇ＃は、周期的ＳＲＳのために構成されたＳＲＳサブフレームについてＲｅｌ−１０ＵＥに知らせるために使用される。図２に示され、セル特定のＳＲＳサブフレーム構成のためにＲｅｌ−８で使用される表が、ここで使用される。例えば、ｓｒｓ−ＳｕｂｆｒａｍｅＣｏｎｆｉｇ＃０は、全てのサブフレームがＳＲＳのために構成されることを意味する一方で、ｐｅｒｉｏｄｉｃ−ｓｒｓ−ＳｕｂｆｒａｍｅＣｏｎｆｉｇ＃０は、全てのサブフレームが周期的ＳＲＳのために構成されることを意味する。このアプローチは、Ｒｅｌ−８ＵＥに対する後方互換性を残しながら、異なる展開シナリオに基づいて、アクセスノードが周期的および非周期的ＳＲＳ融通性の間でＳＲＳサブフレームを分割することを可能にする。
【００２３】
図６の表は、全ての可能な組み合わせの包括的リストを含まないことに留意されたい。（ｓｒｓ−ＳｕｂｆｒａｍｅＣｏｎｆｉｇ＃，ｐｅｒｉｏｄｉｃ−ｓｒｓ−ＳｕｂｆｒａｍｅＣｏｎｆｉｇ＃）＝（２，１０）または（２，１２）等の他の組み合わせも可能である。
【００２４】
物理ダウンリンク制御チャネル（ＰＤＣＣＨ）上の制御信号伝達を使用して、ＵＥによる実際の非周期的ＳＲＳ伝送をトリガすることができる。アップリンク許可またはダウンリンク許可のいずれかが、ＰＤＣＣＨ上で使用され得る。図７に示されるように、伝送の実際のタイミングは、サブフレームｎ≧ｋ＋Δで起こり、式中、ｋは、トリガがダウンリンクで伝送されるサブフレームであり、Δは、一定の整数である。Δは、事前に定義され得、例えば、Δ＝４である。Δは、処理遅延により使用される。つまり、ＵＥがサブフレームｋの中でトリガを受信する場合に、伝送を形成するためにいくらかの時間を必要とする。
【００２５】
周期的および非周期的ＳＲＳの間の分割がサブフレーム基準で行われる場合に、サブフレームｋの中でＳＲＳトリガを受信した後、ＵＥは、サブフレームｋ＋Δが（セル特定の非周期的ＳＲＳサブフレームにおける）非周期的ＳＲＳ伝送のために構成されているかどうかをチェックする。サブフレームｋ＋Δがそのように構成されている場合に、ＵＥは、そのサブフレームにおいて非周期的ＳＲＳを伝送する。そうでなければ、非周期的ＳＲＳ伝送は、サブフレームｋ＋Δ後の非周期的ＳＲＳ伝送のために構成されている第１のサブフレームにおいて起こる。
【００２６】
マルチショット非周期的ＳＲＳがトリガされる場合において、第１の伝送後の後続の非周期的ＳＲＳ伝送は、第１の伝送に使用されるサブフレームの直後の後続の非周期的ＳＲＳサブフレーム上で起こる。これは、４回のＳＲＳ伝送のバーストがマルチショット非周期的ＳＲＳのために仮定される、図７に示されている。非周期的ＳＲＳトリガは、サブフレームｋの中で搬送され、第１の非周期的ＳＲＳ伝送は、サブフレームｋ＋５およびｋ＋６が非周期的ＳＲＳのために構成されないので、Δ＝４と仮定して、サブフレームｎ＝ｋ＋７にある。後続の３回のＳＲＳ伝送は、サブフレームｋ＋８およびｋ＋１１が非周期的ＳＲＳのために構成されないので、サブフレームｋ＋９、ｋ＋１０、およびｋ＋１２で起こる。
【００２７】
この実施例では、Ｒｅｌ−８で定義されるようなセル特定のＳＲＳリソースが、Ｒｅｌ−８ＵＥに信号伝達され続ける。Ｒｅｌ−１０ＵＥについては、そのような信号伝達に加えて、周期的および非周期的ＳＲＳの分割が信号伝達される。そのような分割情報は、周期的ＳＲＳサブフレームまたは非周期的ＳＲＳサブフレームのいずれかについてＲｅｌ−１０ＵＥに知らせることによって、信号伝達することができる。周期的サブフレームが信号伝達される場合、残りのＳＲＳサブフレームは、非周期的であると仮定される。非周期的サブフレームが信号伝達される場合、残りのＳＲＳサブフレームは、周期的であると仮定される。Ｒｅｌ−８サブフレーム構成を再利用することができ、新しいＳＲＳサブフレーム定義が必要とされないので、周期的ＳＲＳサブフレームについてＲｅｌ−１０ＵＥに知らせることが好ましいであろう。
【００２８】
ＳＲＳサブフレーム構成のＲｅｌ−８信号伝達が、全ＳＲＳサブフレームリソースについて、セルによってサービス提供される全てのＵＥに知らせるために使用されるので、非周期的ＳＲＳ伝送が可能ではないＲｅｌ−８ＵＥは、ＳＲＳサブフレームのうちの任意のもので周期的ＳＲＳを伝送するように、アクセスノードによる指示されることが可能である。これは、Ｒｅｌ−８ＵＥがＲｅｌ−１０ＵＥからの非周期的ＳＲＳ伝送を含むサブフレームの中で伝送できることを意味する。アクセスノードは、非周期的サブフレームよりもむしろ、周期的サブフレームの中で周期的ＳＲＳ伝送を伝送するようにＲｅｌ−８ＵＥに指示することによって、この対立を防止する。これは、そのＳＲＳ伝送の各々が周期的サブフレーム内に限定されるように、各Ｒｅｌ−８ＵＥのＵＥ特定の周期性ＴＳＲＳ、およびそのＵＥ特定のサブフレームオフセットＴｏｆｆｓｅｔを設定することによって達成される。例えば、図６では、行６１０における分割＃２に対して構成されるＲｅｌ−８ＵＥは、ｓｒｓ−ＳｕｂｆｒａｍｅＣｏｎｆｉｇ＃０を有し、したがって、任意のＳＲＳサブフレームの中で伝送するように構成することができる。非周期的サブフレームの中で伝送することを回避するために、Ｒｅｌ−８ＵＥは、「ｐ」によって印付けられるサブフレーム（サブフレーム１、３、５、７、および９）のみの中で、それらの周期的ＳＲＳを伝送するように構成されるべきである。これは、ＴＳＲＳを５に設定し、Ｔｏｆｆｓｅｔを１、３、または５に設定することによって、行うことができる。同様に、行６２０における分割＃４７に対して構成されるＵＥは、５というＴＳＲＳおよび４というＴｏｆｆｓｅｔを有し、それらの伝送がサブフレーム１および６の中のみにあることを確実にするように、設定されるべきである。各Ｒｅｌ−８ＵＥは、セルにおける周期的ＳＲＳを含む全てのサブフレームにおいて周期的ＳＲＳを伝送する必要がないことに留意されたい。
【００２９】
上記のセル特定のＳＲＳリソース割付を伴う信号伝達例が、図８に示されている。アクセスノード８１０は、少なくとも１つのＲｅｌ−８ＵＥ８２０および少なくとも１つのＲｅｌ−１０ＵＥ８３０と通信している。ＩＥ８５０および８７０が、新しいＩＥである一方で、残りのＩＥは、既存のＲｅｌ−８ＩＥである。「セル特定の周期的ＳＲＳ構成ＩＥ」８５０は、アクセスノード８１０によって送られ、８５０ａとしてＵＥ８２０によって、８５０ｂとしてＵＥ８３０によって受信される。「セル特定の周期的ＳＲＳ構成ＩＥ」８５０は、新しいＩＥであり、したがって、ＵＥ８２０等のＲｅｌ−８ＵＥによって無視される。しかしながら、このＩＥ８５０は、図６に示されるような周期的ＳＲＳと非周期的ＳＲＳとの間のセル特定のＳＲＳサブフレーム分割について、ＵＥ８３０等のＲｅｌ−１０ＵＥに知らせるために使用される。Ｒｅｌ−１０ＵＥ８３０については、追加のＵＥ特定の（または専用）非周期的ＳＲＳＩＥ８７０が、そのＵＥ特定の非周期的ＳＲＳ構成についてＵＥ８３０に知らせるために使用される。これらのＩＥの全ては、上位層（例えば、層３、ＲＲＣ）信号伝達を通して半静的に構成される。アクセスノード８１０は、動的アップリンクサウンディングを行うためにＵＥ８３０を必要とする場合に、アップリンク許可またはダウンリンク許可を通して、非周期的ＳＲＳ要求８８０をＵＥ８３０に送信する。ＵＥ８３０は、要求を受信する場合に、以前に受信されたセル特定およびＵＥ特定の非周期的ＳＲＳ構成の両方に従ってＳＲＳを伝送する。
【００３０】
図８の「セル特定のＳＲＳ構成ＩＥ」８４０は、Ｒｅｌ−８において「ＳｏｕｎｄｉｎｇＲＳ−ＵＬ−ＣｏｎｆｉｇＣｏｍｍｏｎ」ＩＥとして知られており、ｓｃ０が、図２に示されるようなＲｅｌ−８セル特定のｓｒｓ−ＳｕｂｆｒａｍｅＣｏｎｆｉｇ＃０に対応し、ｓｃ１が、図２に示されるようなｓｒｓ−ＳｕｂｆｒａｍｅＣｏｎｆｉｇ＃１に対応する、等である、図４で詳細に示されている。ｂｗ０は、Ｒｅｌ−８セル特定のＳＲＳ帯域幅構成ＣＳＲＳ＝０に対応し、ｂｗ１は、帯域幅構成ＣＳＲＳ＝１に対応する、等である。
【００３１】
図８の「セル特定の周期的ＳＲＳ構成ＩＥ」８５０は、新しいＩＥであり、パラメータ「ｐｅｒｉｏｄｉｃ−ｓｒｓ−ＳｕｂｆｒａｍｅＣｏｎｆｉｇ」が、周期的ＳＲＳのために構成されるサブフレームを定義する、「ＰｅｒｉｏｄｉｃＳｏｕｎｄｉｎｇＲＳ−ＵＬ−ＣｏｎｆｉｇＣｏｍｍｏｎ」ＩＥとして図５に示されている。Ｒｅｌ−１０ＵＥは、このＩＥを受信した場合、セル特定の周期的ＳＲＳサブフレームを決定することと、全セル特定のサブフレームから周期的サブフレームを差し引くことによって、セル特定の非周期的ＳＲＳサブフレームを決定することとができる。例えば、ｓｒｓ−ＳｕｂｆｒａｍｅＣｏｎｆｉｇ＝０およびｐｅｒｉｏｄｉｃ−ｓｒｓ−ＳｕｂｆｒａｍｅＣｏｎｆｉｇ＝１である場合に、Ｒｅｌ−１０ＵＥは、サブフレーム｛０，２，４，６，８｝がセル特定の周期的ＳＲＳサブフレームであり、サブフレーム｛１，３，５，７，９｝がセル特定の非周期的サブフレームであることを、図６から決定することができる。
【００３２】
代替として、図５の「ｐｅｒｉｏｄｉｃ−ｓｒｓ−ＳｕｂｆｒａｍｅＣｏｎｆｉｇ」パラメータは、最上位ビットがサブフレーム＃０と関連付けられる、図９に示されるような１０ビットのビットマップを使用することによって信号伝達することができる。例えば、図６の分割＃３は、サブフレーム＃０および＃５が周期的ＳＲＳのために構成される、［１００００１００００］として示すことができる。
【００３３】
別の実施形態では、図８のようなセル特定の周期的ＳＲＳサブフレーム構成を信号伝達する代わりに、最上位ビットがサブフレーム＃０と関連付けられる、図１０に示されるようなビットマップアプローチを使用して、セル特定の非周期的ＳＲＳサブフレーム構成を信号伝達することができる。例えば、図６の分割＃３は、サブフレーム｛１，２，３，４，６，７，８，９｝が非周期的ＳＲＳのために構成される、［０１１１１０１１１１］として示すことができる。
【００３４】
実施形態では、ＵＥ特定の（または専用）非周期的ＳＲＳ構成のために、Ｒｅｌ−８ＵＥ特定のＩＥに加えて、新しいＩＥが導入される。Ｒｅｌ−８における既存のＩＥは、図１１で詳細に示され、図８の「ＵＥ特定の周期的ＳＲＳ構成ＩＥ」８６０に対応する。新しい追加のＩＥが図１２で詳細に示され、図８の「ＵＥ特定の非周期的ＳＲＳ構成ＩＥ」８７０に対応する。ＩＥの両方について、ｂｗ０は、Ｒｅｌ−８ＵＥ特定のＳＲＳ帯域幅構成ＢＳＲＳ＝０に対応し、ｂｗ１は、ＳＲＳ帯域幅構成ＢＳＲＳ＝１に対応する、等である。ｈｂｗ０は、Ｒｅｌ−８ＵＥ特定のホッピング帯域幅ｂｈｏｐ＝０に対応し、ｈｂｗ１は、ホッピング帯域幅ｂｈｏｐ＝１に対応する、等である。ｃｓ０は、Ｒｅｌ−８で定義される循環シフト指数
【００３５】
【化１−２】
0005566537.tif 000030
に対応し、ｃｓ１は、循環シフト指数
【００３６】
【化１−３】
0005566537.tif 000031
に対応する、等である。図１２のパラメータ「ａｐｅｒｉｏｄｉｃ−ｄｕｒａｔｉｏｎ」は、ｄｕｒ１が単一の伝送に対応し、ｄｕｒ２が２回の伝送に対応する、等である、単一の非周期的ＳＲＳ要求またはトリガによる非周期的ＳＲＳ伝送の数を定義する。代替として、ｄｕｒ１が第１の所定の値に対応し、ｄｕｒ２が第２の所定の値に対応する、等である、４つの持続時間を事前に定義することができる。
【００３７】
非周期的および周期的ＳＲＳが同じサブフレームを共有する実施形態では、わずかに異なる信号伝達が使用される。ＰｅｒｉｏｄｉｃＳｏｕｎｄｉｎｇＲＳ−ＵＬ−ＣｏｎｆｉｇＣｏｍｍｏｎ  ＩＥは使用されず、図１３に示される修正されたＡｐｅｒｉｏｄｉｃＳｏｕｎｄｉｎｇＲＳ−ＵＬ−ＣｏｎｆｉｇＤｅｄｉｃａｔｅｄ  ＩＥが使用される。非周期的ＳＲＳを伝送し得るサブフレームをＵＥに示すために、ａｐｅｒｉｏｄｉｃ−ｓｒｓ−ＣｏｎｆｉｇＩｎｄｅｘ変数１３１０が追加される。変数は、Ｒｅｌ−８におけるｓｒｓ−ＣｏｎｆｉｇＩｎｄｅｘと同じ定義を有し、ＵＥの非周期的ＳＲＳ伝送に使用される、ＵＥ特定の周期性ＴＳＲＳおよびＵＥ特定のサブフレームオフセットＴｏｆｆｓｅｔを示す。各ＵＥに対してＴＳＲＳおよびＴｏｆｆｓｅｔを設定することによって、アクセスノードは、周期的および非周期的伝送の間で、ならびにＵＥの間で、ＳＲＳリソースを柔軟に割り付け得る。ＡｐｅｒｉｏｄｉｃＳｏｕｎｄｉｎｇＲＳ−ＵＬ−ＣｏｎｆｉｇＤｅｄｉｃａｔｅｄは、ＵＥによって占有されるリソースブロック、および／またはそのＳＲＳコーム、および／またはその循環シフトが設定されることを可能にするので、周期的および非周期的ＳＲＳ伝送が異なるＲＢ、コーム、および／または循環シフトに基づく場合、ＵＥは、ほとんど、または全く相互干渉を伴わずに、同じサブフレームの中で非周期的および周期的ＳＲＳの両方を伝送し得る。
【００３８】
複数の伝送アンテナを伴って構成されるＲｅｌ−１０ＵＥについては、第１の伝送アンテナに対するものである「ｃｙｃｌｉｃＳｈｉｆｔ」および「ａｐｅｒｉｏｄｉｃ−ｃｙｃｌｉｃＳｈｉｆｔ」を除いて、図１１および図１２のＵＥ特定のパラメータが全ての伝送アンテナに共通であることが仮定される。他のアンテナについては、循環シフトを導出するために、暗示的な規則を使用することができる。例えば、ｉ番目の伝送アンテナに対する循環シフトは、以下のように導出され得る。
【００３９】
【化１−４】
0005566537.tif 000032
式中、ｉ＝０，１，２，３であり、ｄｅｌｔａＣｙｃｌｉｃＳｈｉｆｔは、１から７に及ぶ。ｄｅｌｔａＣｙｃｌｉｃＳｈｉｆｔは、事前に定義することが可能であるか、または構成可能であり得る。構成可能である場合、それは、セル特定のＳＲＳ構成ＩＥまたはＵＥ特定のＳＲＳ構成ＩＥのいずれかの一部であり得る。
【００４０】
別の実施形態では、図１２または図１３のＵＥ特定の非周期的ＳＲＳパラメータのうちのいくつかは、図１１の対応するＵＥ特定の周期的ＳＲＳパラメータと同じであり得る。この場合において、一組のパラメータのみが信号伝達され得る。例えば、周期的ＳＲＳに対する「ｔｒａｎｓｍｉｓｓｉｏｎＣｏｍｂ」は、「ａｐｅｒｉｏｄｉｃ−ｔｒａｎｓｍｉｓｓｉｏｎＣｏｍｂ」と同じように構成され得、この場合、「ｔｒａｎｓｍｉｓｓｉｏｎＣｏｍｂ」のみが信号伝達される。
【００４１】
一実施形態では、非周期的ＳＲＳの持続時間、または各トリガ後の非周期的ＳＲＳ伝送の数は、図１２に示されるようなパラメータ「ａｐｅｒｉｏｄｉｃ−ｄｕｒａｔｉｏｎ」を使用して、半静的に構成される。別の実施形態では、非周期的ＳＲＳの持続時間は、ＰＤＣＣＨ上でアップリンク許可またはダウンリンク許可を通して各ＵＥに動的に信号伝達され得る。動的信号伝達は、ＳＲＳリソースのより効果的な利用をもたらすが、追加の信号伝達オーバーヘッドを生じる。
【００４２】
一実施形態では、非周期的ＳＲＳ伝送コーム、周波数領域位置、ＳＲＳ帯域幅、循環シフト、およびＳＲＳホッピング帯域幅は、図１２に示されるように各ＵＥのために半静的に構成され得る。伝送コームは、一方が広帯域ＳＲＳ用であり、他方が狭帯域ＳＲＳ用であるように構成することができる。したがって、ＵＥがセルエッジにあるか、またはアクセスノードに近いかどうかに基づいて、伝送コームが半静的に割り当てられ得る。これは周期的ＳＲＳ用のものと同じであり得るので、単一のパラメータが信号伝達され得る。
【００４３】
ＳＲＳ帯域幅も、ＵＥがセルエッジにあるか、またはアクセスノードに近いかどうかに基づいて構成され得る。広帯域サウンディングは、概して、アクセスノードに近く、より広い周波数帯域にわたって無線チャネルをサウンディングする能力を有するＵＥに有効である一方で、狭帯域サウンディングは、セルエッジにあり、より狭い周波数帯域にわたって無線チャネルをサウンディングするために十分な能力のみを有するＵＥに有効である。この構成は周期的ＳＲＳ用のものと同じであり得るので、単一のパラメータが信号伝達され得る。パラメータが図１２のＵＥ特定の非周期的ＳＲＳ構成ＩＥで定義されない場合、図１１のＵＥ特定の周期的ＳＲＳ構成ＩＥにおけるパラメータは、Ｒｅｌ−１０ＵＥによって仮定することができる。
【００４４】
別の実施形態では、ａｐｅｒｉｏｄｉｃ−ｔｒａｎｓｍｉｓｓｉｏｎＣｏｍｂ、ａｐｅｒｉｏｄｉｃ−ｆｒｅｑＤｏｍａｉｎＰｏｓｉｔｉｏｎ、ａｐｅｒｉｏｄｉｃ−ｓｒｓ−ｂａｎｄｗｉｄｔｈ、ａｐｅｒｉｏｄｉｃ−ｓｒｓ−ＨｏｐｐｉｎｇＢａｎｄｗｉｄｔｈ、およびａｐｅｒｉｏｄｉｃ−ｃｙｃｌｉｃＳｈｉｆｔ等のこれらのＵＥ特定の非周期的ＳＲＳパラメータのうちのいくつかは、非周期的ＳＲＳトリガとともに動的に信号伝達され得る。半静的に構成された値は、動的構成が受信された場合に上書きされ得る。
【００４５】
実施形態では、狭帯域ＳＲＳについて、複数のＵＥを周波数領域において多重化することができ、ＵＥの各々に対する周波数場所は、サブフレームによって異なり得る。つまり、周波数ホッピングを使用することができる。周波数ホッピングは、無線チャネルが帯域幅全体またはより広い帯域幅にわたってサウンディングされることを可能にしながら、１つの副搬送波につき利用可能なより大きい伝送能力、および１つのＳＲＳサブフレームにつき多重化されるより多くのＵＥ等の、狭帯域非周期的ＳＲＳ伝送の利益を可能にすることができる。周波数領域場所の動的信号伝達は必要とされず、したがって、より少ない信号伝達オーバーヘッドが必要とされる。
【００４６】
周波数ホッピングパターンは、ＳＲＳ帯域幅、ＳＲＳホッピング帯域幅等の所与の非周期的ＳＲＳ構成のために、独特な周波数ホッピングパターンが決定される図１４の実施例を用いて示されるように、セル特定の非周期的ＳＲＳサブフレームに割り当てられる。図１４の縦縞の領域は、周期的ＳＲＳサブフレームを示し、横縞の領域は、非周期的ＳＲＳサブフレームを示し、白色領域は、所与のＵＥ特定の非周期的ＳＲＳ構成に対する可能な非周期的場所を示す。
【００４７】
ホッピングサブフレーム指数１４１０は、システムサブフレーム＃０  １４３０の中の第１の非周期的サブフレーム１４２０から始まり、（実際の非周期的ＳＲＳ割当にもかかわらず）後続の非周期的ＳＲＳサブフレームの各々において増分する。周波数場所は、全てのＲｅｌ−１０ＵＥおよびアクセスノードによって知られている所定のパターンに従って、ホッピングサブフレーム指数１４１０の関数として変化する。より具体的には、周波数場所は、以下で定義される方程式５によって特定することができる。サウンディングが行われる帯域幅を画定する、サウンディング帯域幅１４４０は、周期的ＳＲＳと同じであり得、その場合、単一のパラメータが信号伝達され得る。
【００４８】
Ｒｅｌ−１０ＵＥは、セル特定の非周期的ＳＲＳサブフレーム、したがって、所与の非周期的サブフレームに対するホッピングサブフレーム指数１４１０を知っているので、トリガまたはスケジューリングされた場合に、その非周期的ＳＲＳ伝送の周波数領域の場所を計算することができる。これらの場所の文字「Ａ」によって示されるように、非周期的ＳＲＳが、システムフレーム１のサブフレーム１において、およびシステムフレーム２のサブフレーム４においてトリガされる、実施例が図１４に示されている。ＵＥは、ホッピングパターン、および２つのサブフレームに対応するホッピングサブフレーム指数を知っているので、２つのサブフレーム上の非周期的ＳＲＳ伝送のための周波数場所を容易に決定することができる。
【００４９】
単一のトリガによって複数の非周期的ＳＲＳ伝送をスケジューリングされることができる、マルチショット非周期的ＳＲＳについて、ＵＥは、セル特定の非周期的ＳＲＳリソースに基づいて、ＳＲＳ伝送のための後続のサブフレーム（フレーム内のサブフレーム）を決定することができ、また、ホッピングサブフレーム指数および所定のパターンに従って、これらのサブフレームの各々の中の周波数場所も決定し得る。
【００５０】
ホッピングスキームは、周波数領域の場所を動的に信号伝達することなく、狭帯域非周期的ＳＲＳを用いて、より広い帯域幅に対するアップリンクサウンディングを可能にする。ここで、この周波数ホッピング技法の詳細を提供する。
【００５１】
ＵＥに対する非周期的ＳＲＳ伝送が、所与のシステム帯域幅に対して、システムフレームｎｆおよびスロットｎｓでトリガされる場合に、開始周波数場所または搬送波指数ｋ０（ｎｆ、ｎｓ）は、以下のように計算することができる。
【００５２】
【数１】
0005566537.tif 000033
ここで、
【００５３】
【数２】
0005566537.tif 000034
【００５４】
【数３】
0005566537.tif 000035
【００５５】
【数４】
0005566537.tif 000036
であり、ここで、
【００５６】
【化２】
0005566537.tif 000037
であり、
【００５７】
【数５】
0005566537.tif 000038
であり、ここで、ＮＡＳＲＳは、
【００５８】
【化３】
0005566537.tif 000039
における入力の数、すなわち、各フレームにおける非周期的ＳＲＳサブフレームの数であり、
【００５９】
【数６−１】
0005566537.tif 000040
であり、ここで、
【００６０】
【化４】
0005566537.tif 000041
は、ｘ以下である最大の整数を示す。他のパラメータは、以下のように定義される。
【００６１】
【化５】
0005566537.tif 000042
は、リソースブロック（ＲＢ）の数でのアップリンクシステム帯域幅である。
【００６２】
【化６】
0005566537.tif 000043
は、１つのＲＢあたりの搬送波の数である。
ＣＳＲＳは、図４に示されるＳｏｕｎｄｉｎｇＲＳ−ＵＬ−ＣｏｎｆｉｇＣｏｍｍｏｎ  ＩＥにおけるｓｒｓ−ＢａｎｄｗｉｄｔｈＣｏｎｆｉｇによって定義される、セル特定のＳＲＳ帯域幅構成指数である。
ＳＳＲＳは、図４に示されるＳｏｕｎｄｉｎｇＲＳ−ＵＬ−ＣｏｎｆｉｇＣｏｍｍｏｎ  ＩＥにおけるｓｒｓ−ＳｕｂｆｒａｍｅＣｏｎｆｉｇによって定義される、セル特定のＳＲＳサブフレーム構成指数である。
ＳＰＳＲＳは、図５に示されるＰｅｒｉｏｄｉｃＳｏｕｎｄｉｎｇＲＳ−ＵＬ−ＣｏｎｆｉｇＣｏｍｍｏｎ  ＩＥにおけるｐｅｒｉｏｄｉｃ−ｓｒｓ−ＳｕｂｆｒａｍｅＣｏｎｆｉｇによって定義される、セル特定の周期的ＳＲＳサブフレーム構成指数である。
【００６３】
【化７】
0005566537.tif 000044
は、ＳＳＲＳおよびＳＰＳＲＳから導出することができる、セル特定の非周期的ＳＲＳ伝送サブフレームオフセットである。例えば、ＳＳＲＳ＝０およびＳＰＳＲＳ＝１である場合、図６から、
【００６４】
【化８】
0005566537.tif 000045
である。
【００６５】
【化９】
0005566537.tif 000046
は、図１２に示されるＡｐｅｒｉｏｄｉｃＳｏｕｎｄｉｎｇＲＳ−ＵＬ−ＣｏｎｆｉｇＤｅｄｉｃａｔｅｄ  ＩＥにおけるａｐｅｒｉｏｄｉｃ−ｓｒｓ−Ｂａｎｄｗｉｄｔｈによって定義される、ＵＥ特定の非周期的ＳＲＳ帯域幅である。
【００６６】
【化１０】
0005566537.tif 000047
は、図１２に示されるＡｐｅｒｉｏｄｉｃＳｏｕｎｄｉｎｇＲＳ−ＵＬ−ＣｏｎｆｉｇＤｅｄｉｃａｔｅｄ  ＩＥにおけるａｐｅｒｉｏｄｉｃ−ｔｒａｎｓｍｉｓｓｉｏｎＣｏｍｂによって定義される、ＵＥ特定の非周期的ＳＲＳ伝送コーム（０または１）である。
【００６７】
【化１１】
0005566537.tif 000048
は、図１２に示されるＡｐｅｒｉｏｄｉｃＳｏｕｎｄｉｎｇＲＳ−ＵＬ−ＣｏｎｆｉｇＤｅｄｉｃａｔｅｄ  ＩＥにおけるａｐｅｒｉｏｄｉｃ−ｓｒｓ−ＨｏｐｐｉｎｇＢａｎｄｗｉｄｔｈによって定義される、ＵＥ特定の非周期的ＳＲＳホッピング帯域幅（０から３）である。
【００６８】
【化１２】
0005566537.tif 000049
は、図１２に示されるＡｐｅｒｉｏｄｉｃＳｏｕｎｄｉｎｇＲＳ−ＵＬ−ＣｏｎｆｉｇＤｅｄｉｃａｔｅｄ  ＩＥにおけるａｐｅｒｉｏｄｉｃ−ｆｒｅｑＤｏｍａｉｎＰｏｓｉｔｉｏｎによって定義される、ＵＥ特定の非周期的ＳＲＳ周波数領域位置（０から２３）である。
ｍＳＲＳ，ｂは、ＲＢの数での非周期的ＳＲＳ帯域幅であり、
【００６９】
【化１３】
0005566537.tif 000050
に基づいて得ることができる。
Ｎｂは、ＳＲＳ帯域幅構成パラメータであり、また、
【００７０】
【化１４】
0005566537.tif 000051
に基づいて得ることができる。
ｎｆは、非周期的ＳＲＳが伝送されるシステムフレーム番号（０から１０２３）である。ｎｓは、非周期的ＳＲＳが伝送されるスロット番号（０から１９）である。
【００７１】
ホッピングパターン計算は、ＬＴＥ  Ｒｅｌ−８における周期的ＳＲＳホッピングと同様であることが分かる。違いは、Ｒｅｌ−８周期的ＳＲＳでは、ホッピングはＵＥに割り当てられたサブフレーム上のみで起こることである。ＳＲＳサブフレームがＵＥに対して事前に構成されるので、ＵＥは、各ＳＲＳ伝送時にその周波数場所を計算することができる。動的非周期的ＳＲＳの場合において、ＵＥは、その将来の非周期的ＳＲＳ伝送のためのサブフレームを知らないので、そのホッピングパターンを事前に計算することができない。開示されたホッピング計算では、ホッピングは、セル特定の非周期的ＳＲＳサブフレーム上のセルレベルで定義される。このアプローチの利益は、非周期的ＳＲＳのための開始周波数位置が、各トリガ時にＵＥに動的に信号伝達される必要がないことである。ＵＥは、半静的に構成された非周期的ＳＲＳパラメータ、および非周期的ＳＲＳが伝送されるようにトリガされるサブフレームに基づいて、非周期的ＳＲＳ伝送のためのその周波数領域開始位置を決定することができる。
【００７２】
例えば、図１５に示されるＵＥ特定の非周期的ＳＲＳ構成、および１６ａに示されるセル特定の非周期的ＳＲＳサブフレーム構成、およびセル特定のＳＲＳ帯域幅構成｛ＣＳＲＳ＝１，ＳＳＲＳ＝０，ＳＰＳＲＳ＝８および
【００７３】
【化１５】
0005566537.tif 000052
｝を伴う５つのＵＥ考慮すると、上記の式（１）から（６）を使用して、５つのＵＥに対する周波数の中の可能な非周期的ＳＲＳ開始場所を計算することができ、最初の５０個のサブフレームにわたる結果が図１６ｂに示されている。図１６ｂは、サブフレームの各々の中でトリガされた場合に、５つのＵＥの各々のＳＲＳ伝送によって占有される、ＲＢを示す。ＵＥの占有されたＲＢは、その開始周波数場所から始まり、そのＵＥ特定の非周期的ＳＲＳ構成によって設定されるＲＢの数を占有する。したがって、所与の非周期的ＳＲＳ構成について、開始周波数場所は、非周期的ＳＲＳのために構成された任意のサブフレームについて計算することができる。したがって、非周期的ＳＲＳがトリガされた時に、ＵＥは、非周期的ＳＲＳが伝送されるべきである、開始周波数場所を容易に見つけ出すことができる。各トリガ時に周波数場所についてＵＥに知らせるために、いずれの動的信号伝達も必要とされない。さらに、マルチショット非周期的ＳＲＳも、周波数場所の動的信号伝達を伴わずに容易にサポートすることができる。
【００７４】
共有された周期的および非周期的ＳＲＳリソースを伴う実施形態では、この場合、非周期のみのサブフレームがないので、方程式（５）を修正することが必要であり得る。この場合、ｎＳＲＳのＲｅｌｅａｓｅ  ８定義は、以下のように修正される。
【００７５】
【数６−２】
0005566537.tif 000053
式中、ＴＡＳＲＳは、非周期的ＳＲＳ伝送に対するものであり、図１３で定義されるＡｐｅｒｉｏｄｉｃＳｏｕｎｄｉｎｇＲＳ−ＵＬ−ＣｏｎｆｉｇＤｅｄｉｃａｔｅｄ  ＩＥにおけるパラメータａｐｅｒｉｏｄｉｃ−ｓｒｓ−ＣｏｎｆｉｇＩｎｄｅｘによって定義される。別の実施形態では、ＴＡＳＲＳは、全てのＲｅｌ−１０ＵＥに対して同じ値に構成され得、したがって、ブロードキャストされ得る。さらに別の実施形態では、ＴＡＳＲＳの値は、事前に定義され、アクセスノードおよびＲｅｌ−１０ＵＥの両方によって知られ得る。
【００７６】
上記の論議は、半静的ＳＲＳ構成に焦点を合わせている。ここで、狭帯域非周期的ＳＲＳに対する動的信号伝達を論議する。サブフレームによって周期的および非周期的リソースを分割することが、ＵＥ特定の信号伝達オーバーヘッドを低減し、ＳＲＳリソースの単純構成を可能にする一方で、サブフレームによる分割は、利用可能なＳＲＳリソースのあまり効率的ではない共有につながり得る。したがって、代替実施形態では、ＳＲＳサブフレームは、セル特定の信号伝達を介して周期的ＳＲＳおよび非周期的ＳＲＳリソースの間で分割されない。代わりに、各ＵＥは、その非周期的伝送（ならびに該当する場合、その周期的伝送）が行われてもよいＳＲＳリソースについて、独立して知らされ得る。この実施形態では、ＳＲＳサブフレームの間に固定された分割がないので、アクセスノードは、ＳＲＳ上のＵＥ間干渉が起こらないように、周期的および非周期的リソースを割り付けなければならない。したがって、アクセスノードは、セルの中のＵＥが、概して、同じＳＲＳリソース（コーム、循環シフト、リソース要素、およびサブフレーム）上で伝送されないという意味で、依然としてリソースを分割する。しかしながら、ＳＲＳリソースは、ＵＥごとの基準で制御され、ＵＥは、セルの中の全てのＵＥによって共有される非周期的ＳＲＳリソースについて知らされない。
【００７７】
各ＵＥと異なるＵＥの間でのＳＲＳ伝送とに対する周期的および非周期的ＳＲＳの間において、セル特定のＳＲＳリソースをを動的に共有することの利益を完全に生かすために、非周期的ＳＲＳリソースは、セル特定のＳＲＳリソースを半静的に分割することなく、ＵＥに動的に信号伝達され得る。このアプローチは、周期的および非周期的ＳＲＳの間、および異なるＵＥ間でのリソース割付および共有において、適度な信号伝達オーバーヘッドを伴い、増大した融通性を提供する。
【００７８】
このより融通性のあるアプローチは、各ＵＥのＳＲＳリソースが、異なる周波数場所、循環シフト、および伝送コーム指数とともに動的に多重化されることを可能にする。これは、ＳＲＳリソース利用効率を向上させることができるが、周波数場所、循環シフト、およびコーム指数の組み合わせを動的に信号伝達することを必要とする場合がある。これを達成する率直な方法は、直交ＳＲＳリソースを効率的に示すために固定数のビットを使用することである。例えば、２０ＭＨｚ帯域幅について、ＵＥの各アンテナに対する周波数場所、循環シフト、およびコーム指数の組み合わせの最大数は、最大、２４×８×２＝３８４の可能性であり、信号伝達するために９ビットを必要とする。多重化利得視点からの利益は、ビットの数が増加するにつれて低減する可能性が高い。したがって、多重化利得と信号伝達オーバーヘッドとの間でバランスがとられる必要がある。そのようなものとして、代替的な解決策は、これらの可能性の一部のみを各ＵＥに信号伝達することである。
【００７９】
一実施形態では、
【００８０】
【化１６】
0005566537.tif 000054
は、ＰＤＣＣＨ上で搬送される各非周期的ＳＲＳトリガを用いて動的に信号伝達される。      
【００８１】
【化１７】
0005566537.tif 000055
を信号伝達するためのビットの数は、システム帯域幅に依存する。２０ＭＨｚシステム帯域幅については、最大で２４の可能な開始周波数場所（２４＝９６ＲＢｓ／４ＲＢｓ）があり、したがって、５ビットが必要とされる。１０ＭＨｚシステム帯域幅の場合、最大で１２の可能な開始周波数場所（１２＝４８ＲＢｓ／４ＲＢｓ）があり、したがって、４ビットが必要とされる。５ＭＨｚおよびそれ以下のシステム帯域幅については、３ビットが十分である。この場合の非周期的ＳＲＳ伝送のための開始副搬送波の指数は、以下のように計算することができる。
【００８２】
【数７】
0005566537.tif 000056
ここで、
【００８３】
【数８】
0005566537.tif 000057
【００８４】
【数９】
0005566537.tif 000058
である。
【００８５】
別の実施形態では、
【００８６】
【化１８】
0005566537.tif 000059
を動的に信号伝達するよりもむしろ、代わりに、オフセットｎΔが信号伝達され得、
【００８７】
【化１９】
0005566537.tif 000060
は、半静的に信号伝達される
【００８８】
【化２０】
0005566537.tif 000061
によって示されるものからシフトされた周波数場所を定義する。ｎΔの範囲は、
【００８９】
【化２１】
0005566537.tif 000062
よりも小さくなり得るので、より少ない信号伝達オーバーヘッドが必要とされる。１０ＭＨｚシステム帯域幅を実施例として使用すると、
【００９０】
【化２２】
0005566537.tif 000063
の範囲は、０から１１である。範囲の一部、例えば、｛０，２，４，８｝が、ｎΔに使用され得、それらは信号伝達するために２ビットのみを必要とする。ｎΔの構成は、広帯域幅にわたるサウンディングが、周波数選択的スケジューリングを利用することを可能にすることができる。その目的で、ｎΔの範囲は、各システム帯域幅について異なり得る。したがって、この場合、以前の方程式（９）は、以下のように修正される必要がある。
【００９１】
【数１０】
0005566537.tif 000064
別の実施形態では、ａｐｅｒｉｏｄｉｃ−ｃｙｃｌｉｃＳｈｉｆｔも、動的に信号伝達され得る。これは、ＳＲＳリソースを割り付け、共有する際に、さらなる融通性を可能にするが、追加の信号伝達オーバーヘッドを伴う。最大で８つの循環シフトが利用可能であるので、３ビットのオーバーヘッドがａｐｅｒｉｏｄｉｃ−ｃｙｃｌｉｃＳｈｉｆｔを信号伝達するために必要とされる。この場合、最大で８ビットの全信号伝達オーバーヘッドが必要とされる。
【００９２】
別の実施形態では、ａｐｅｒｉｏｄｉｃ−ｃｙｃｌｉｃＳｈｉｆｔを動的に信号伝達するよりもむしろ、オフセットａｐｅｒｉｏｄｉｃ−ｃｙｃｌｉｃＳｈｉｆｔ−ｏｆｆｓｅｔが代わりに信号伝達され得、非周期的ＳＲＳ伝送に使用される実際の循環シフトは、動的に信号伝達されたａｐｅｒｉｏｄｉｃ−ｃｙｃｌｉｃＳｈｉｆｔ−ｏｆｆｓｅｔを加えた、上位層信号伝達パラメータａｐｅｒｉｏｄｉｃ−ｃｙｃｌｉｃＳｈｉｆｔによって求められる。つまり、
【００９３】
【数１１】
0005566537.tif 000065
である。
【００９４】
より少ない信号伝達オーバーヘッドを必要とする、｛０  １  ２  ４｝等のより小さい範囲をａｐｅｒｉｏｄｉｃ−ｃｙｃｌｉｃＳｈｉｆｔ−ｏｆｆｓｅｔに定義することができる。
【００９５】
最も一般的な解決策では、上位層信号伝達は、ＵＥがそれに基づいて伝送し得る、ＳＲＳリソースのリストをＵＥに示し得、リストは、リストの要素が少数のビット（例えば、わずか４）によって対処可能であるように十分小さい。リストの各要素は、ＵＥがそれに基づいて伝送し得る、各アンテナに対する周波数場所、循環シフト、およびコーム指数の組み合わせを示す。リストは、各ＵＥに独立して信号伝達され、ＵＥのリストは異なり得ることに留意されたい。後に、ＰＤＣＣＨ上の物理層信号伝達が、特定の非周期的サウンディングに使用する実際のＳＲＳリソースをＵＥに動的に示すために使用され得る。
【００９６】
例えば、ＳＲＳ帯域幅が比較的大きい（例えば、１２個のＲＢ）、１０ＭＨｚシステムを考慮することができ、したがって、周波数において多重化することができるＵＥの数が少ないので、循環シフトおよびコームの間で多重化することがより重要である。この場合、図１７の組み合わせのリスト（４ビットがＳＲＳリソースを動的に示すために使用される場合）が、ＵＥのうちの１つに信号伝達され得る。
【００９７】
別の実施例として、１０ＭＨｚシステムを再び考慮することができるが、ＳＲＳ帯域幅は比較的狭く（例えば、４個のＲＢ）、周波数においてさらなる多重化が可能であるので、循環シフトおよび／またはコームの間で多重化することはあまり重要ではない。循環シフトの直交性は、大きな遅延拡散を伴う多経路チャネルにおいて低減されるので、大きな分離を伴う循環シフトをアンテナに割り当てることが望ましいことがある。この場合、図１８の組み合わせのリストが、ＵＥのうちの１つに信号伝達される場合がある。
【００９８】
２つだけのアンテナが図１７および図１８に示されているが、このアプローチは、２つよりも多くの伝送アンテナを伴うＵＥに容易に拡張することができる。一般に、ＮＡ個のアンテナを伴うＵＥについて、図１７および図１８の各行は、ＮＡ個のアンテナポートの各々に１つずつ、周波数場所オフセット、循環シフト、およびコームの３８４個の組み合わせのうちのＮＡ個の組み合わせを示す。周波数オフセット、循環シフト指数、およびコーム指数のうちの１つ以上が固定されることが可能である。この場合、これらの固定されたパラメータは、リストとは別個に信号伝達され得る。
【００９９】
図１９は、リソース割付方法の実施形態を図示する。ブロック１９１０では、ＳＲＳが伝送されることが可能な一組のＳＲＳサブフレームが信号伝達される。非周期的ＳＲＳ伝送が可能ではないＵＥは、ＳＲＳサブフレームのうちのいずれかにおいて周期的ＳＲＳを伝送することを指示されることが可能である。ブロック１９２０では、ＳＲＳサブフレームのうちのどれが周期的ＳＲＳ伝送に使用されるべきか、およびＳＲＳサブフレームのうちのどれが非周期的ＳＲＳ伝送に使用されるべきかが信号伝達される。周期的ＳＲＳ伝送は、第１のサブフレームにおいてＵＥによって伝送されるＳＲＳ伝送であり、第１のサブフレームは、少なくとも、ＵＥが前のＳＲＳを伝送したサブフレームとＳＲＳ周期性とによって決定される。非周期的ＳＲＳ伝送は、第２のサブフレームにおいてＵＥによって伝送されるＳＲＳ伝送であり、第２のサブフレームは、少なくとも、ＵＥへの物理制御チャネル上の伝送によって決定される。
【０１００】
上記で説明されるアクセスノード、ＵＥ、および他の構成要素は、上記で説明される動作に関係する命令を実行することが可能である、処理構成要素を含む場合がある。図２０は、本明細書で開示される１つ以上の実施形態を実装するために好適な処理構成要素２０１０を含む、システム２０００の実施例を図示する。プロセッサ２０１０（中央プロセッサユニットまたはＣＰＵと呼ばれ得る）に加えて、システム２０００は、ネットワーク接続デバイス２０２０、ランダムアクセスメモリ（ＲＡＭ）２０３０、読取専用メモリ（ＲＯＭ）２０４０、２次記憶装置２０５０、入出力（Ｉ／Ｏ）デバイス２０６０を含む場合がある。これらの構成要素は、バス２０７０を介して相互と通信する場合がある。場合によっては、これらの構成要素のうちのいくつかは、存在しないことがあり、または、相互と、あるいは示されていない他の構成要素と、種々の組み合わせで組み合わせられ得る。これらの構成要素は、単一の物理的実体に、または１つより多くの物理的実体に位置する場合がある。プロセッサ２０１０によって講じられるものとして本明細書で説明される任意の措置は、プロセッサ２０１０によって単独で、または、図面に示されている、あるいは示されていない１つ以上の構成要素と併せて、プロセッサ２０１０によって講じられる場合がある。ＤＳＰ２０８０が別個の構成要素として示されているが、ＤＳＰ２０８０はプロセッサ２０１０に組み込まれる場合がある。
【０１０１】
プロセッサ２０１０は、それがネットワーク接続デバイス２０２０、ＲＡＭ２０３０、ＲＯＭ２０４０、または２次記憶装置２０５０（ハードディスク、フロッピー（登録商標）ディスク、または光ディスク等の種々のディスクベースのシステムを含む場合がある）からアクセスする場合がある、命令、コード、コンピュータプログラム、またはスクリプトを実行する。１つだけのＣＰＵ２０１０が示されているが、複数のプロセッサが存在し得る。したがって、命令は、プロセッサによって実行されるものとして論議され得るが、命令は、同時に、連続的に、または別様に、１つまたは複数のプロセッサによって実行され得る。プロセッサ２０１０は、１つ以上のＣＰＵチップとして実装され得る。
【０１０２】
ネットワーク接続デバイス２０２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成し得る。これらのネットワーク接続デバイス２０２０は、プロセッサ２０１０が情報を受信する場合がある、またはプロセッサ２０１０が情報を出力する場合がある、インターネットまたは１つ以上の電気通信ネットワーク、あるいは他のネットワークと、プロセッサ２０１０が通信することを可能にし得る。ネットワーク接続デバイス２０２０はまた、データを無線で伝送および／または受信することが可能な１つ以上の送受信機構成要素２０２５を含む場合がある。
【０１０３】
ＲＡＭ２０３０は、揮発性データを記憶するために、およびおそらくプロセッサ２０１０によって実行される命令を記憶するために、使用される場合がある。ＲＯＭ２０４０は、典型的には２次記憶装置２０５０のメモリ容量よりも小さいメモリ容量を有する、不揮発性メモリデバイスである。ＲＯＭ２０４０は、命令、およびおそらく命令の実行中に読み出されるデータを記憶するために、使用される場合がある。ＲＡＭ２０３０およびＲＯＭ２０４０の両方へのアクセスは、典型的には、２次記憶装置２０５０へのアクセスよりも速い。２次記憶装置２０５０は、典型的には、１つ以上のディスクドライブまたはテープドライブから成り、ＲＡＭ２０３０が全作業データを保持するほど十分に大きくない場合に、データの不揮発性記憶のために、またはオーバーフローデータ記憶デバイスとして使用される場合がある。２次記憶装置２０５０は、ＲＡＭ２０３０にロードされるプログラムが実行のために選択された時に、そのようなプログラムを記憶するために使用され得る。
【０１０４】
Ｉ／Ｏデバイス２０６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含み得る。また、送受信機２０２５は、ネットワーク接続デバイス２０２０の構成要素である代わりに、またはそれに加えて、Ｉ／Ｏデバイス２０６０の構成要素と見なされる場合がある。
【０１０５】
実施形態では、リソース割付け方法が提供される。方法は、ＳＲＳが伝送されることが可能な一組のＳＲＳサブフレームを信号伝達することを含み、非周期的ＳＲＳ伝送が可能ではないＵＥは、ＳＲＳサブフレームのうちのいずれかにおいて周期的ＳＲＳを伝送することを指示されることが可能である。方法はさらに、ＳＲＳサブフレームのうちのどれが周期的ＳＲＳ伝送に使用されるべきか、およびＳＲＳサブフレームのうちのどれが非周期的ＳＲＳ伝送に使用されるべきかを信号伝達することを含み、周期的ＳＲＳ伝送は、第１のサブフレームにおいてＵＥによって伝送されるＳＲＳ伝送であり、第１のサブフレームは、少なくとも、ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、第２のサブフレームは、少なくとも、ＵＥへの物理制御チャネル上の伝送によって決定される。
【０１０６】
別の実施形態では、無線電気通信システムにおけるアクセスノードが提供される。アクセスノードは、アクセスノードが、ＳＲＳが伝送されることが可能な一組のＳＲＳサブフレームを信号伝達するように構成されているプロセッサであって、非周期的ＳＲＳ伝送が可能ではないＵＥは、ＳＲＳサブフレームのうちのいずれかにおいて周期的ＳＲＳを伝送することを指示されることが可能であり、さらに、アクセスノードが、ＳＲＳサブフレームのうちのどれが周期的ＳＲＳ伝送に使用されるべきか、およびＳＲＳサブフレームのうちのどれが非周期的ＳＲＳ伝送に使用されるべきかを信号伝達するように構成されているプロセッサを含み、周期的ＳＲＳ伝送は、第１のサブフレームにおいてＵＥによって伝送されるＳＲＳ伝送であり、第１のサブフレームは、少なくとも、ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、第２のサブフレームは、少なくとも、ＵＥへの物理制御チャネル上の伝送によって決定される。
【０１０７】
別の実施形態では、ＵＥが提供される。ＵＥは、ＵＥがＳＲＳを伝送するように構成されているプロセッサを含み、ＵＥは、ＳＲＳが伝送されることができる一組のＳＲＳサブフレームの信号を受信しており、ＵＥが、非周期的ＳＲＳ伝送が可能ではないＵＥである時に、ＵＥは、ＳＲＳサブフレームのうちのいずれかにおいて周期的ＳＲＳを伝送することを指示されることが可能であり、ＵＥはさらに、ＳＲＳサブフレームのうちのどれが周期的ＳＲＳ伝送に使用されるべきか、およびＳＲＳサブフレームのうちのどれが非周期的ＳＲＳ伝送に使用されるかという信号を受信しており、周期的ＳＲＳ伝送は、第１のサブフレームにおいてＵＥによって伝送されるＳＲＳ伝送であり、第１のサブフレームは、少なくとも、ＵＥが前のＳＲＳを伝送したサブフレームとＳＲＳ周期性とによって決定され、非周期的ＳＲＳ伝送は、第２のサブフレームにおいてＵＥによって伝送されるＳＲＳ伝送であり、第２のサブフレームは、少なくとも、ＵＥへの物理制御チャネル上の伝送によって決定される。
【０１０８】
別の実施形態では、リソース割付け方法が提供される。方法は、非周期的ＳＲＳを伝送する場合に、ＵＥが使用するためのリソースを動的に信号伝達することを含み、上位層信号伝達は、ＵＥが伝達することができる一組のリソースを示し、動的物理層信号伝達は、一組のリソース内のどのリソースを、ＵＥがＳＲＳを伝送するために使用すべきかを示し、動的物理層信号伝達は、物理制御チャネル上で搬送され、非周期的ＳＲＳ伝送は、サブフレームにおいてＵＥによって伝送されるＳＲＳ伝送であり、サブフレームは、少なくとも、ＵＥへの物理制御チャネル上の伝送によって決定される。
【０１０９】
別の実施形態では、無線電気通信システムにおけるアクセスノードが提供される。アクセスノードは、非周期的ＳＲＳを伝送する場合にＵＥが使用するためのリソースを、アクセスノードが動的に信号伝達するように構成されているプロセッサを含み、上位層信号伝達は、ＵＥが伝達することができる一組のリソースを示し、動的物理層信号伝達は、一組のリソース内のどのリソースを、ＵＥがＳＲＳを伝送するために使用すべきかを示し、動的物理層信号伝達は、物理制御チャネル上で搬送され、非周期的ＳＲＳ伝送は、サブフレームにおいてＵＥによって伝送されるＳＲＳ伝送であり、サブフレームは、少なくとも、ＵＥへの物理制御チャネル上の伝送によって決定される。
【０１１０】
別の実施形態では、ＵＥが提供される。ＵＥは、ＵＥが、非周期的ＳＲＳを伝送する際に使用するためにＵＥに動的に信号伝達されたリソース上で、ＳＲＳを伝送するように構成されているプロセッサを含み、リソースの動的仕様は、ＵＥが伝送することができる一組のリソースを示した上位層信号伝達と、一組のリソース内のどのリソースを、ＵＥがＳＲＳを伝送するために使用することができるかを示した動的物理層信号伝達とを含み、動的物理層信号伝達は、物理制御チャネル上で搬送され、非周期的ＳＲＳ伝送は、サブフレームにおいてＵＥによって伝送されるＳＲＳ伝送であり、サブフレームは、少なくとも、ＵＥへの物理制御チャネル上の伝送によって決定される。
【０１１１】
いくつかの実施形態を本開示で提供したが、開示されたシステムおよび方法は、本開示の精神または範囲から逸脱することなく、多くの他の具体的形態で具現化され得ることを理解されたい。本実施例は、制限的ではなく例証的と見なされるものであり、本明細書で与えられる詳細に制限されることを意図するものではない。例えば、種々の要素または構成要素が組み合わされるか、または別のシステムに統合され得、または、ある特徴が省略されるか、あるいは実装されなくてもよい。
【０１１２】
また、個別または別個のものとして種々の実施形態で説明および例証される、技術、システム、サブシステム、および方法は、本開示の範囲から逸脱することなく、他のシステム、モジュール、技術、または方法と組み合わされるか、あるいは統合され得る。相互に連結される、または直接連結される、あるいは通信するものとして示される、または論議される他の項目は、電気的であろうと、機械的であろうと、または別の方法であろうと、何らかのインターフェース、デバイス、または中間構成要素を通して、間接的に連結されるか、または通信し得る。変更、置換、および改変の他の実施例が、当業者によって究明可能であり、本明細書で開示される精神および範囲から逸脱することなく行うことができる。
【図１】
0005566537.tif 000084
【図２】
0005566537.tif 000085
【図３】
0005566537.tif 000086
【図４】
0005566537.tif 000087
【図５】
0005566537.tif 000088
【図６Ａ】
0005566537.tif 000089
【図６Ｂ】
0005566537.tif 000090
【図７】
0005566537.tif 000091
【図８】
0005566537.tif 000092
【図９】
0005566537.tif 000093
【図１０】
0005566537.tif 000094
【図１１】
0005566537.tif 000095
【図１２】
0005566537.tif 000096
【図１３】
0005566537.tif 000097
【図１４】
0005566537.tif 000098
【図１５】
0005566537.tif 000099
【図１６Ａ】
0005566537.tif 000100
【図１６Ｂ】
0005566537.tif 000101
【図１７】
0005566537.tif 000102
【図１８】
0005566537.tif 000103
【図１９】
0005566537.tif 000104
【図２０】
0005566537.tif 000105